(57)【要約】【課題】  真空断熱材の周縁部を芯材側に向け折り込んで使用するとき、従来の真空断熱材では折り曲げ部に孔が開き、亀裂が生じてガスが浸入し易いというような問題点があることに鑑み、芯材の四辺に沿った芯材に近い側にある周縁部の未溶着部分のほか、芯材の角部周辺に生じるガスバリア性フィルムの折れ曲がり部，折れ重なり部，角隅部を含む未溶着部分を溶着させることにより、折り込んだときフィルムに小さな孔が開き、また角隅部先端に亀裂が生じてもガスの浸入を防止することができ、内部の真空度の低下が起こらない新たな真空断熱材とその製造方法を提供すること。【解決手段】  熱溶着層を有するガスバリア性フィルム３よりなる袋体Ｆに芯材２を収納し、内部を減圧状態で密封した真空断熱材１を、その全体又は未溶着部分を常圧下で加熱して前記袋体Ｆの未溶着部Ｍを熱溶着したこと。【選択図】図７
2006329419.tif 000002
【特許請求の範囲】
【請求項１】
熱溶着層を有するガスバリア性フィルムよりなる袋体に芯材を収納し、内部を減圧状態で密封した真空断熱材を、その全体又は未溶着部分を常圧下で加熱して前記袋体の未溶着部を熱溶着したことを特徴とする真空断熱材。
【請求項２】
加熱する未溶着部分は、袋体の内部減圧により芯材の角部周辺に生じるガスバリア性フィルムの折れ曲がり部，折れ重なり部，角隅部のいずれかが含まれた未溶着部である請求項１の真空断熱材。
【請求項３】
加熱する未溶着部分には、真空断熱材の周辺の余剰ガスバリア性フィルムを芯材側へ折り込む際に芯材周辺に生じる折り曲げ部や該折り曲げ部における尖鋭部を含む請求項２の真空断熱材。
【請求項４】
常圧下での全体又は部分の加熱温度は、熱溶着層の融点より５〜35℃程度高い温度である請求項１〜３のいずれかの真空断熱材。
【請求項５】
熱溶着層は、高密度ポリエチレン（HDPE）、低密度ポリエチレン（LDPE）、リニア低密度ポリエチレン（LLDPE）、未延伸ポリプロピレン（CPP）、延伸ポリプロピレン（OPP）、ポリ塩化ビニリデン（PVDC）、ポリ塩化ビニル（PVC）、エチレン-酢酸ビニル共重合体（EVA）、エチレン-ビニルアルコール共重合体（EVOH）のいずれかのプラスチックフィルムである請求項１〜４のいずれかの真空断熱材。
【請求項６】
熱溶着層の厚みは、5〜50μｍである請求項１〜５のいずれかの真空断熱材。
【請求項７】
芯材は、貫通孔及び／又は切欠きを有する請求項１〜６のいずれかの真空断熱材。
【請求項８】
芯材は、連続気泡硬質プラスチック発泡体、又は、無機物、若しくは、連続気泡硬質プラスチック発泡体と無機物の積層体である請求項１〜７のいずれかの真空断熱材。
【請求項９】
貫通孔又は切欠きに囲まれた部分のガスバリア性フィルム同士の溶着部に切り込み線、又は、前記貫通孔又は切欠きの内周縁に沿った穴又は切欠きを設けた請求項７又は８の真空断熱材。
【請求項１０】
切り込み線は、貫通孔の中心部から周縁部の外周端にかけて設けた請求項９の真空断熱材。
【請求項１１】
真空断熱材の芯材を構成する無機物は、ガラス繊維に有機バインダーを0.5〜1.5wt％塗布して積層、加熱圧縮成形したガラス繊維マットである請求項１〜10のいずれかの真空断熱材。
【請求項１２】
芯材にはガス吸着剤を埋没させて設けた請求項１〜11のいずれかの真空断熱材。
【請求項１３】
真空断熱材の芯材を構成する無機物は、ガラス繊維の積層体に有機バインダー等の結合剤を塗布せずにニードルパンチにより圧縮成形したガラス繊維マットである請求項１〜10のいずれかの真空断熱材。
【請求項１４】
真空断熱材の芯材を構成する無機物は、ガラス繊維を水を用いて集綿し、加熱圧縮成形したガラス繊維マットである請求項１〜10の真空断熱材。
【請求項１５】
熱溶着層を有するガスバリア性フィルムよりなる袋体に芯材を収納し、内部を減圧状態で密封した真空断熱材を、その全体又は未溶着部分を常圧下で加熱して前記袋体の未溶着部を熱溶着することを特徴とする真空断熱材の製造方法。
【請求項１６】
加熱する未溶着部分は、袋体の内部減圧により芯材の角部周辺に生じるガスバリア性フィルムの折れ曲がり部，折れ重なり部，角隅部のいずれかが含まれた未溶着部である請求項15の製造方法。
【請求項１７】
加熱する未溶着部分には、真空断熱材の周辺の余剰ガスバリア性フィルムを芯材側へ折り込む際に芯材周辺に生じる折り曲げ部や該折り曲げ部における尖鋭部を含む請求項16の製造方法。
【請求項１８】
常圧下での全体又は部分の加熱温度は、熱溶着層の融点より５〜35℃程度高い温度である請求項15〜17のいずれかの製造方法。
【請求項１９】
芯材は、貫通孔及び／又は切欠きを有する請求項15〜18のいずれかの製造方法。
【請求項２０】
芯材は、連続気泡硬質プラスチック発泡体、又は、無機物、若しくは、連続気泡硬質プラスチック発泡体と無機物の積層体である請求項15〜19のいずれかの製造方法。
【請求項２１】
貫通孔又は切欠きに囲まれた部分のガスバリア性フィルム同士の溶着部に切り込み線、又は、前記貫通孔又は切欠きの内周縁に沿った穴又は切欠きを設けた請求項19又は20の製造方法。
【請求項２２】
切り込み線は、貫通孔の中心部から周縁部の外周端にかけて設けた請求項21の製造方法。
【発明の詳細な説明】
【技術分野】
【０００１】
本発明は、周縁に形成されるガスバリア性フィルム同士の積層部分（周縁部）を折り込んで使用する真空断熱材の使用形態を考慮し、周縁部を折り込んだときにフィルムに微小な孔や亀裂が生じても外部からガスが浸入し、内部の真空度が低下して断熱性能が悪化したりすることがなく、また、パイプなどが通っている複雑な形状の箇所にも装着することができる真空断熱材とその製造方法に関する。
【背景技術】
【０００２】
真空断熱材は、ガスバリア性に優れた複合プラスチックラミネートフィルムからなる袋体に、芯材として連続気泡硬質プラスチック発泡体や無機物などを収納し、内部を減圧した後、周縁のガスバリア性フィルム同士の積層部分をヒートシールして製造される。一般に真空断熱材は、外装袋体を通して空気や水分が透過し、或いは内部において二酸化炭素や有機ガスが発生するため、時間の経過とともに真空度は少しずつ低下し、それに応じて熱伝導率が大きくなり高度な断熱性を維持することができないという問題がある。
【０００３】
また、真空断熱材は、その周縁にガスバリア性フィルム同士の積層部分があるため、使用時に隙間なく装着するためには周縁部を折り曲げたりする必要がある。例えば、特許文献１には、真空断熱材を箱体の側壁内部に装着すると周縁の積層部分が邪魔になり、端部において隙間が生じてしまうため、この積層部分を容易に折り曲げることができるようにして端部に隙間が生じないようにし、この問題の解決を図っている。
【０００４】
しかしながら、真空断熱材周縁の積層部分は、ガスバリア性フィルム同士が密着しているが、図１に示したように、真空断熱材１の周縁部1aにおけるヒートシールされている部分ｈ以外の芯材２に近い側は熱溶着されない未溶着部分Ｍとなっている。この周縁部1aを図２に示したように折り込んだとき、未溶着部分Ｍが折り曲げ部の線（以下、折り曲げ線４という）上に位置している場合が多い。そのため、折り込んだときに折り曲げ線４上のフィルムに微小な孔や亀裂が生じたりすると、そこからガスが徐々に浸入し、内部の真空度が低下して断熱性能が悪化し易いという問題があった。更に、図２に示した状態から他の周縁部1aを図３に矢印で示したように折り込むと真空断熱材１の角隅部において周縁部1aと1a'の２度折り込まれる部分に尖鋭な先端（以下、尖鋭部という）が形成されるため、その尖鋭部Ｔに他の部材が衝突したりすると、亀裂などが生じて上記と同様に断熱性能が悪化し易いという問題があった。
【０００５】
上記の問題を解決するために、長方形の板状の芯材を用いて従来の方法により製造した真空断熱材における未溶着部分を調べたところ、未溶着部分Ｍは、芯材２の四辺に沿った芯材２に近い側にあるほか、芯材２の角部周辺におけるガスバリア性フィルム3a，3bの積層部分の複雑な形状部分と相俟ってあることがわかった。詳細には、図４に示したように真空断熱材１の製造時に袋体Ｆの内部減圧により芯材２の角部周辺に生じるガスバリア性フィルム3a，3bの積層部分の折れ曲がり部Ｑ，折れ重なり部Ｒ、図５に示したような角隅部Ｓに未溶着部分Ｍがあることがわかった。これは芯材２より大きめの２枚のガスバリア性フィルム3a，3bを芯材２を挟んで重ね合わせ、周縁のガスバリア性フィルム3a，3b同士を積層するとき、芯材２の角部周辺ではフィルム3a，3bに余剰部分が出てしまい、減圧したときその余剰部分が上記のような複雑な断面形状の積層形態となって現れるからであると推測される。なお、この複雑な断面形状の積層形態は、収納する芯材２の厚みとも関連し、特に芯材２が厚い場合はその角部周辺に大き目の折れ曲がり部Ｑ，折れ重なり部Ｒ，角隅部Ｓが生じ易く、その結果、芯材２が厚い場合は角部周辺に多くの未溶着部分Ｍがあるものと推測される。
【０００６】
また、従来の真空断熱材１では、芯材２の表裏面とガスバリア性フィルム3a，3b内面の熱溶着層とは減圧により密着しているが、溶着まではされていないため、上記のような原因でガスの浸入が起きると芯材２の表裏面とガスバリア性フィルム3a，3bとの間にガスが入り込んで内部の真空度が低下するという問題もあった。
【０００７】
更に、別の問題として、従来の真空断熱材には、平面矩形状のものが多いため、例えば，電源線や通信線などを通すためのパイプや鉄骨等が貫いている壁面に装着する場合、パイプ等を避けてその周囲に小型の真空断熱材を多数枚装着するなどして対応していたが、パイプ等の周辺からの熱伝導が大きくなってしまい、また、小型の真空断熱材を多数枚製造するためのコストが掛かりすぎるという問題があった。
【０００８】
上記のような問題を解決するため、特許文献２では、熱溶着層を有するガスバリア性の外被材と、板状の芯材とを有し、熱溶着層同士が対向する外被材の間に前記芯材が減圧密封されて成り、外被材の間に芯材がある部分を含めて加熱加圧することにより、対向する熱溶着層同士が芯材形状に沿うように熱溶着された真空断熱材の発明が提案されている。
【０００９】
また、特許文献３には、適用する対象物の形状に制限が少なく、用途の広い真空断熱材として、熱溶着層を有するガスバリア性の外被材と、板状の芯材とを有し、前記熱溶着層同士が対向する前記外被材の間に前記芯材が減圧密封され、前記芯材の周囲に前記芯材を間に含まず密着した前記外被材のみから構成される周縁部が形成された真空断熱材であって、前記外装材の間に前記芯材がある部分の前記熱溶着層が溶融して、前記芯材の表面部分と結着しており、周縁部における対向する前記熱溶着層同士が芯材形状に沿うように熱溶着されている真空断熱材の発明が提案されている。
【００１０】
更に、特許文献４には、配線、配管、機器等を通せる貫通孔および／またはドアヒンジ固定用部材等を設けることのできる切欠き部を有する真空断熱パネルとして、断熱芯材がガスバリアー性包装材よりなる袋の中に真空排気された状態で封入されてなる真空断熱パネルにおいて、該真空断熱パネルが貫通孔部および／または切欠き部を有し、かつ該貫通孔部および／または切欠き部の内周部に沿ってガスバリアー性包装材同士を融着したシール部が形成されてなる真空断熱パネルで、シール部の内側に、切り抜きまたはスリットが形成されてなる真空断熱パネルの発明が提案されている。
【００１１】
上記特許文献２，３において提案されている発明の真空断熱材は、真空断熱材を製造するときの熱溶着において、弾性体で構成された熱板を使用し、外被材の間の芯材の有無を熱板の変形によって吸収することにより、対向する熱溶着層同士を芯材形状に沿うように熱溶着している。しかしながら、このような加熱加圧方法では、弾性体で構成された熱板の変形は、芯材の厚みを考慮すると限度があるため、芯材の四辺に沿ったガスバリア性フィルム（外装材）の積層部分における芯材に近い側に未溶着部分が残り易いという問題があった。また、真空断熱材の大きさに見合う弾性体で構成された熱板を別途用意する必要があるため、製造コストが掛かりすぎるという問題もあった。更に、特許文献２，３において提案されている真空断熱材では、芯材の角部周辺に余剰のガスバリア性フィルムにより生じる当該フィルムの折れ曲がり部，折れ重なり部，角隅部については全く考慮されておらず、これらの部位にある未溶着部分の溶着が十分なされるとはいい難い。特に、弾性体で構成された熱板では、芯材の角部周辺に対し、十分な加熱加圧がなされ難いといった問題があった。
【００１２】
また、上記特許文献４において提案されている発明の真空断熱パネルについても、貫通孔部や切欠き部の内周部に沿ってガスバリアー性包装材同士を融着したシール部が形成されているが、ガスバリアー性包装材同士の融着には、熱板が使用されているものと推測される。従って、貫通孔部や切欠き部の内周部に沿ってシールされるとしても、これら貫通孔部や切欠き部に近い側が十分熱溶着されているとはいい難い。また、この特許文献４において提案されている発明においても、芯材の角部周辺に余剰のガスバリア性フィルムにより生じる当該フィルムの折れ曲がり部，折れ重なり部，角隅部については全く考慮されておらず、これらの部位にある未溶着部分の溶着が十分なされているとはいい難い。
【特許文献１】特開２００１−２９５９８４号公報
【特許文献２】特許第３５５９０３５号公報
【特許文献３】特開２００４−１９７９５４号公報
【特許文献４】特開平８−３０３６８６号公報
【発明の開示】
【発明が解決しようとする課題】
【００１３】
本発明は、真空断熱材の周縁部を芯材側に向け折り込んで使用するときに、従来の真空断熱材には上記のような問題点があることに鑑み、芯材の四辺に沿った芯材に近い側にある周縁部の未溶着部分のほか、芯材の角部周辺に生じるガスバリア性フィルムの折れ曲がり部，折れ重なり部，角隅部を含む未溶着部分を溶着させることにより、折り込んだときフィルムに小さな孔が開き、また角隅部先端に亀裂が生じてもガスの浸入を防止することができ、内部の真空度の低下が起こらない新たな真空断熱材とその製造方法を提供することを、その課題とするものである。
【課題を解決するための手段】
【００１４】
上記課題を解決することを目的としてなされた本発明真空断熱材の構成は、熱溶着層を有するガスバリア性フィルムよりなる袋体に芯材を収納し、内部を減圧状態で密封した真空断熱材を、その全体又は未溶着部分を常圧下で加熱して前記袋体の未溶着部を熱溶着したことを特徴とするものである。
【００１５】
また、上記課題を解決することを目的としてなされた本発明真空断熱材の製造方法の構成は、熱溶着層を有するガスバリア性フィルムよりなる袋体に芯材を収納し、内部を減圧状態で密封した真空断熱材を、その全体又は未溶着部分を常圧下で加熱して前記袋体の未溶着部を熱溶着することを特徴とするものである。
【００１６】
本発明は、上記構成において、加熱する未溶着部分は、袋体の内部減圧により芯材の角部周辺に生じるガスバリア性フィルムの折れ曲がり部，折れ重なり部，角隅部のいずれかが含まれた未溶着部であり、加熱する未溶着部分には、真空断熱材の周辺の余剰ガスバリア性フィルムを芯材側へ折り込む際に芯材周辺に生じる折り曲げ部や該折り曲げ部における尖鋭部を含んでいる。また、上記の常圧下での全体又は部分の加熱温度は、熱溶着層の融点より５〜35℃程度高い温度であるのが好ましい。
【００１７】
上記の熱溶着層には、高密度ポリエチレン（HDPE）、低密度ポリエチレン（LDPE）、リニア低密度ポリエチレン（LLDPE）、未延伸ポリプロピレン（CPP）、延伸ポリプロピレン（OPP）、ポリ塩化ビニリデン（PVDC）、ポリ塩化ビニル（PVC）、エチレン-酢酸ビニル共重合体（EVA）、エチレン-ビニルアルコール共重合体（EVOH）のいずれかのプラスチックフィルムを使用することができる。この熱溶着層の厚みは、5〜50μｍであるのが好ましい。
【００１８】
次に、本発明は、上記構成において、芯材に、貫通孔及び／又は切欠きを有するものを使用することができる。芯材としては、連続気泡硬質プラスチック発泡体、又は、無機物、若しくは、連続気泡硬質プラスチック発泡体と無機物の積層体を使用することができる。
【００１９】
また、貫通孔又は切欠きに囲まれた部分のガスバリア性フィルム同士の溶着部に切り込み線、又は、前記貫通孔又は切欠きの内周縁に沿った穴又は切欠きを設けた構成にすることもできる。更に、切り込み線は、貫通孔の中心部から周縁部の外周端にかけて設ける構成にしてもよい。
【００２０】
上記の芯材を構成する無機物には、ガラス繊維に有機バインダーを0.5〜1.5wt％塗布して積層、加熱圧縮成形したガラス繊維マットを使用するのが望ましい。なお、芯材にガス吸着剤を埋没させて設けた構成にすることができる。
【００２１】
また、上記の芯材を構成する無機物には、ガラス繊維の積層体に有機バインダー等の結合剤を塗布せずにニードルパンチにより圧縮成形したガラス繊維マットを使用することができ、更に、ガラス繊維を水を用いて集綿し、加熱圧縮成形したガラス繊維マットを使用することもできる。
【発明の効果】
【００２２】
本発明は、従来方法で製造した真空断熱材の全体又は未溶着部分を熱板などを用いずに常圧下で更に加熱することにより、芯材の四辺に沿った部分にある未溶着部分ほか、袋体の内部減圧により芯材の角部周辺に生じた余剰のガスバリア性フィルムによるフィルムの折れ曲がり部，折れ重なり部，角隅部などにおける未溶着部分を十分溶着させることができるので、特に真空断熱材の周縁部分を芯材側に向け折り込んで使用するときに、折曲線上や角隅部にできる尖鋭部Ｔに小さな孔や亀裂が生じても、外部からガスが浸入することがなく、内部の真空度が低下することがないという効果が得られる。また、未溶着部分のみを常圧下で部分加熱した場合は、芯材からのガスの発生を抑えることができるのでより効果的である。
【００２３】
更に、本発明による真空断熱材は、芯材に貫通孔や切欠き、又は、これらの両方を有するものを使用することができるので、パイプ等が貫通している壁面や複雑な形状の装着部分に対しても容易に装着することができ、断熱性能を向上させることができる。更には、貫通孔や切欠きに囲まれたガスバリア性フィルム同士の溶着部分に切り込み線や穴を設けておくことができ、特に、貫通孔の中心部から真空断熱材の周縁部の外周端にかけて切り込み線を設けた場合は、パイプ等を取り付けた後からでも真空断熱材を装着することができるという効果が得られる。
【発明を実施するための最良の形態】
【００２４】
次に、本発明の実施の形態例を図に拠り説明する。図１は本発明に用いる従来方法により製造した真空断熱材の平面図、図２は図１に示した真空断熱材の周縁部を芯材側に折り込んだ状態を示す部分拡大側面図、図３は図２に示した真空断熱材の他の周縁部を芯材側に折り込む前の状態を示す部分拡大斜視図、図４は図１に示した真空断熱材の芯材角部周辺を平面側から見た斜視図、図５は図４に示した芯材角部周辺の上面側の部分切開斜視図、図６は全体加熱による本発明真空断熱材の製造方法の一例を示す斜視図、図７は本発明真空断熱材の製造工程の一例を示す平面図、図８は本発明真空断熱材の製造工程の別例を示す平面図、図９は中央部に円形の貫通孔を有する芯材を用いた真空断熱材の一例の平面図、図10は中央部に円形の貫通孔を有する芯材を用いた真空断熱材の別例の平面図、図11は側辺部に切欠きを有する芯材を用いた真空断熱材の一例の平面図、図12は鍵穴状の貫通孔を有する芯材を用いた真空断熱材の一例の平面図、図13は中央部に長方形の貫通孔を有する芯材を用いた真空断熱材の一例の平面図、図14は中央部に長方形の貫通孔を有する芯材を用いた真空断熱材の別例の平面図、図15は平面略Ｌ字状の芯材を用いた真空断熱材の一例の平面図、図16は複雑な形状の芯材を用いた真空断熱材の製造工程の一例を示す平面図で、図16(a)は周縁をヒートシールした真空断熱材、図16(b)は真空断熱材の全体を常圧下で加熱した真空断熱材、図16(c)は熱溶着されたガスバリア性フィルムを芯材に沿ってカットした真空断熱材を示している。
【００２５】
図１から図４は、上述したように本発明に用いる一例の真空断熱材１を示している。この真空断熱材１は、従来の方法で製造したもので、熱溶着層を有するガスバリア性フィルム３よりなる外装袋体Ｆに芯材２を収納し、内部を減圧状態にして開口部を密封してなるものである。製造方法としては、芯材２をこれより大き目の２枚のガスバリア性フィルム3a，3bで挟み込み、減圧状態にして周縁のガスバリア性フィルム3a，3b同士の積層部分をヒートシールして製造したものであってもよい。なお、1aは、真空断熱材１の周縁部で、外装袋体Ｆにおける芯材２を挟み込んでいないガスバリア性フィルム3a，3b同士の積層した部分である。この周縁部1aの幅は、芯材２の厚みとも関連するが、一般に10〜50ｍｍ程度、好ましくは10〜30ｍｍ程度が望ましい。
【００２６】
上記従来の方法で製造した真空断熱材１は、図１により説明したように、周縁部1aのヒートシールされている部分ｈと芯材２との間は、減圧によりガスバリア性フィルム3a，3b同士は密着しているものの熱溶着されていない。そのため、図２，図３により説明したように周縁部1aをそのまま芯材２側に折り込んだときに問題が生じる。また、図４に示したように、真空断熱材１の製造時に芯材２の角部周辺に生じるガスバリア性フィルム3a，3bの積層部分の折れ曲がり部Ｑ，折れ重なり部Ｒ、図５に示したような角隅部Ｓに未溶着部分Ｍがある。
【００２７】
本発明は、上記の従来の方法で製造した真空断熱材１をベースにその全体又は未溶着部分を常圧下で加熱して外装袋体Ｆの外周辺、即ち、真空断熱材１の周縁部1aにある未溶着部を熱溶着することにより製造される。全体の加熱は、ここでは真空断熱材１を図６に示したような乾燥器５に入れて行っている。全体加熱により図７に示したように芯材２の四辺に沿った芯材２に近い側は勿論、芯材２の角部周辺における折れ曲がり部Ｑや折れ重なり部Ｒ、角隅部Ｓにある未溶着部分Ｍをすべてを溶着Ｈさせることができる。また、全体加熱により芯材２の表面とガスバリア性フィルム3aの熱溶着層、裏面とガスバリア性フィルム3bの熱溶着層をそれぞれ溶着させることができる。
【００２８】
次に、未溶着部分Ｍの常圧下での部分加熱は、主に芯材２の角部周辺の折れ曲がり部Ｑや折れ重なり部Ｒ、角隅部Ｓに対し、図８に示したように熱風送風器６により熱風を送ることにより、これらにある未溶着部分Ｍを溶着させる。なお、当然、芯材２の四辺に沿った芯材２に近い側にある未溶着部分Ｍを溶着させることもできる。この部分加熱は、全体加熱と比較し、加熱により芯材２から出るガスの発生を最小限にすることができるので、真空断熱材１の内部を高真空に維持することができる。
【００２９】
ガスバリア性フィルム３の詳細な構成、熱溶着層の部材などについては後に説明するが、例えば、熱溶着層のプラスチックフィルムが高密度ポリエチレン（HDPE）、リニア低密度ポリエチレン（LLDPE），未延伸ポリプロピレン（CPP）の場合、HDPEの密度は0.93〜0.95，融点は120〜130℃、LLDPE の密度は0.91〜0.93，融点は100〜110℃、CPP の密度は0.90前後，融点は130〜170℃であるので、これらHDPE，LLDPE，CPPの熱溶着層の融点より５〜35℃程度高い温度で加熱する。因みに、熱溶着層のプラスチックフィルムがHDPEの場合の接着（溶着）強度を加熱温度を変えて測定したところ下記の表１の通りであった。なお、測定には、測定器としてオートグラフ・AGS-H・１ＫＮ(島津製作所)を使用し、クロスヘッドスピードを300mm/minの条件で、熱溶着層の厚み50μｍのものについて行った。
【００３０】
【表１】
2006329419.tif 000003
【００３１】
上記の真空断熱材１では、芯材２に平面長方形の板状のものを使用してるが、後述するように貫通孔や切欠きを有する芯材を使用することができる。また、芯材２の外形も長方形に限られず、平面形状が正方形や台形，六角形，円形，楕円形等の芯材を使用することができる。
【００３２】
次に、外装袋体Ｆを形成するガスバリア性フィルム３の構成について説明すると、ガスバリア性フィルム３は複合プラスチックラミネートフィルムにより形成されており、熱融着層と金属箔と他のプラスチックフィルムを積層した構成のものである。金属箔としては、アルミニウム箔やスチール箔，ステンレス箔，銅箔等を使用することができる。また、金属箔の代わりに金属や無機物の蒸着フィルムを使用しプラスチックフィルムと積層したフィルムを使用することもできる。
【００３３】
複合プラスチックラミネートフィルムの一例として、ポリエチレンテレフタレートフィルム／ナイロンフィルム／アルミ箔／ポリエチレンフィルムの４層構造のラミネートフィルムが挙げられるが、これ以外に、ポリエチレンテレフタレートフィルム／アルミ箔／高密度ポリエチレンフィルムの３層構造のラミネートフィルムもあり、これらのフィルムを袋体Ｆに形成するときは、ポリエチレンフィルムが袋体Ｆの内側になるように構成される。上記のラミネートフィルムのアルミ箔をアルミ蒸着フィルムに代えたものも勿論、使用することができる。なお、熱溶着層のポリエチレン（PE）フィルムには、上述したHDPE，LLDPEのほか、低密度ポリエチレン（LDPE）のいずれかのフィルムを選択して使用することができ、更に、PE以外に、上述したCPPのほか、延伸ポリプロピレン（OPP），ポリ塩化ビニリデン（PVDC），ポリ塩化ビニル（PVC），エチレン-酢酸ビニル共重合体（EVA），エチレン-ビニルアルコール共重合体（EVOH）のいずれかのプラスチックフィルムを使用することもできる。熱溶着層の厚みは、本発明では5〜50μｍであるのが好ましい。
【００３４】
次に、芯材２の構成について説明すると、芯材２には、連続気泡硬質プラスチック発泡体、又は、無機物、若しくは、連続気泡硬質プラスチック発泡体と無機物の積層体などを使用することができる。無機物には、ガラス繊維に有機バインダーを0.5〜1.5wt％塗布して積層、加熱圧縮成形したガラス繊維マットを使用することができる。なお、連続気泡硬質プラスチック発泡体には、従来の真空断熱材で使用されているものを使用することができる。また、図示しないが、芯材２にはガス吸着剤を埋没させて経時的に芯材２から発生するアウトガスまたは、ヒートシール部等から浸入するガスを吸収する構成にしてもよい。
【００３５】
また、真空断熱材１の芯材２を構成する無機物には、ガラス繊維の積層体に有機バインダー等の結合剤を塗布せずにニードルパンチにより圧縮成形したガラス繊維マットを使用することができる。更に、ガラス繊維を水を用いて集綿し、加熱圧縮成形したガラス繊維マットを使用することもできる。
【００３６】
次に、芯材には、貫通孔や切欠きを有するもの、或は、貫通孔と切欠きの両方を有するものを使用することができる。これらは壁面に配線用などに使用されるパイプ等が通っている場合があり、そのような壁面に対しても装着することができる真空断熱材にするためである。また、切欠きは、例えば支柱などの構造部材の一部が壁面に食い込むように入り込んでいる場合に対応するためである。
【００３７】
図９は、真空断熱材７の中心部に円形の穴7bが形成されているものの一例で、８はこれに見合う貫通孔を有する芯材である。なお、7aは真空断熱材７の熱溶着された周縁部、7cは円形の穴7bを囲むガスバリア性フィルム3a，3b同士の溶着した積層部分である。
【００３８】
図10は、真空断熱材９の中心部にガスバリア性フィルム3a，3b同士が溶着し凹んだ積層部分9cが形成されている構成の一例である。この真空断熱材９の芯材10は、図７に示したものと同様、中心部に貫通孔を有している。上記の凹んだ積層部分9cの中心部に十字形に切り込み線Ｋが設けられている。この切り込み線Ｋは、装着する壁面に通っているパイプの外径に対応してその切込み幅を調整する。なお、9aは真空断熱材９の熱溶着された周縁部である。
【００３９】
図11は、真空断熱材11の側辺に円弧状の切欠き11ｂが形成されているものの一例で、12はこれに見合う形状の切欠きを有する芯材である。11cは、切欠き11ｂの周縁のガスバリア性フィルム3a，3b同士が溶着した部分である。
【００４０】
図12は、真空断熱材13の中心部にガスバリア性フィルム3a，3b同士が溶着し鍵穴状に凹んだ積層部分13cが形成されている構成の一例で、この真空断熱材13の芯材14は、鍵穴状の貫通孔を有している。上記の凹んだ積層部分13cには貫通孔の中心部に十字状の切り込み線Ｋとこの切り込み線Ｋから周縁部13aの外周端にかけて延びた切り込み線Ｋが設けられている。この真空断熱材13は、既にパイプ等が配管されている壁面に対し、外周端から切り込み線Ｋを貫通孔の中心部まで切り、その切り開いたところにパイプ等を入れパイプ等を挟み込むようにして壁面に装着することができる。
【００４１】
図13は、真空断熱材15の中心部にガスバリア性フィルム3a，3b同士が溶着し長方形に凹んだ積層部分15cが形成されている構成の一例である。この真空断熱材15の芯材16は、長方形の貫通孔を有している。上記の凹んだ積層部分15cには切り込み線Ｋが設けられていて、装着する壁面に通っているパイプの数や外径に対応してその切り込み線Ｋにおける切込み位置や大きさを調整することができる。なお、15aは真空断熱材15の熱溶着された周縁部である。
【００４２】
図14は、真空断熱材17の中心部に３個の貫通穴17ｂが、ガスバリア性フィルム3a，3b同士が溶着し長方形に凹んだ積層部分17cに形成されている構成の一例である。この真空断熱材17の芯材18は、図11のものと同様に長方形の貫通孔を有している。なお、17aは真空断熱材17の熱溶着された周縁部である。
【００４３】
図15は、平面略Ｌ字状で、内側角部に溝状の切欠き19bが形成されている真空断熱材19の一例である。真空断熱材19の芯材20は、平面略Ｌ字状で内側角部に略円形乃至円弧状の切欠き20aを有している。この真空断熱材19は、芯材20を３方が熱溶着されたガスバリア性フィルム3a，3bで構成された袋体に入れ、内部を真空引きしながら密封して形成した真空断熱材を、更にその全体を常圧下で加熱して上下のガスバリア性フィルム3a，3b同士の未溶着部分を熱溶着して製造される。溝状の切欠き19bは、この全体加熱により熱溶着された芯材20の切欠き20aに囲まれたガスバリア性フィルム3a，3b同士の積層部分の一部を切り込んで形成されている。このようにしたのは、平面略Ｌ字状の真空断熱材の場合、内側角部に溝状の切欠き19bがないと、周縁部を折り込むとき、内側角部のところが畳めないため、折り込めないからである。なお、19aは真空断熱材19の熱溶着された周縁部である。
【００４４】
次に、図16により複雑な形状の芯材を用いた真空断熱材21の製造工程の一例を説明する。図16(a)は、丸みを帯びた形状の芯材22を３方が熱溶着されたガスバリア性フィルム3a，3bで構成された袋体Ｆに入れ、内部を真空引きしながら密封して形成した真空断熱材21を示している。通常、ヒートシールされている部分ｈは直線であるため、芯材22の形状に沿って形成することが困難で、芯材が単純な四角形の場合のように、周縁部に残るガスバリア性フィルム３を芯材上部に折り畳むことができない。図16(b)は、図16(a)の真空断熱材21の全体を更に常圧下で加熱して上下のガスバリア性フィルム3a，3b同士の未溶着部分を熱溶着Ｈした状態のものを示している。図16(c)は、図16(b)の真空断熱材21を芯材22の周縁部に上下ガスバリア性フィルムが熱溶着Ｈされた部分を一定の幅で残して、その他の部分をカットして製造した真空断熱材23を示している。
【００４５】
図９から図16に例示したもの以外に、芯材の貫通孔又は切欠きは、平面形状が、三角形，四角形，六角形，八角形などの多角形、又は、星形、若しくは、異形の円形，異形の多角形などであってもよく、また、貫通孔と切欠きの両方を有する芯材を使用してもよい。
【実施例】
【００４６】
次に、12×300×400ｍｍの大きさで、有機バインダー1.2wt％塗布して積層，加熱圧縮成形したガラス繊維マットからなる芯材で貫通孔を有するものと有しないものを用意し、それぞれアルミ箔複合プラスチックラミネートフィルムを用いて製造した370×500ｍｍの大きさの外装袋体にガス吸着剤を入れないで収納した後、内部を真空引きして開口部をヒートシールして製造した真空断熱材を図６に示した乾燥器内に入れ、その全体を130℃の雰囲気下で５分間放置し、周縁部、貫通孔周辺における未溶着部分、及び、フィルムと芯材の表裏面における密着部を熱溶着させて本発明の真空断熱材をそれぞれ製造した。なお、貫通孔の直径は10ｍｍにした。
【００４７】
〔性能試験〕
上記の芯材に貫通孔を有するものと有しないものを、加速温度70℃×dry、70℃×95％RHの条件で、熱伝導率を製造直後から最長152日に亘り測定する性能試験を、全体加熱を行わなかったものと比較して行った。熱伝導率の測定には、熱伝測定機ＨＣ-074・300（英弘精機製）を使用した。結果は下記の表２の通りである。
【００４８】
【表２】
2006329419.tif 000004
【００４９】
〔評価〕
表２から明らかなように、未溶着部分の熱溶着を行わなかったものと比較し、全体加熱により未溶着部分の熱溶着を行った本発明の真空断熱材の熱伝導率は、貫通穴を有するものも有しないものも、ともに熱伝導率の低下は少なかった。この傾向は、条件が70℃×
dryの場合も、70℃×95％RHの場合も同様であった。なお、貫通穴を有しないものの方が、有するものと比較し、熱伝導率の低下は少なかった。
【産業上の利用可能性】
【００５０】
本発明は、真空断熱材の周縁部を芯材側に向け折り込んで使用するときに生じる問題点、即ち、従来の真空断熱材では、ガスバリア性フィルム同士の未溶着部分が芯材の四辺に沿った所や角隅部周辺にある状態でそれらの未溶着部分を一緒に折り込んで使用していたため、フィルムに小さな孔が開き、また角隅部先端に亀裂が生じてガスが浸入し内部の真空度が低下し易いといった問題を、未溶着部分を予め溶着させることにより、周縁部を折り込んだときこのような問題が起こらないようにしたので、長期間の使用に耐え得る優れた真空断熱材といえる。また、本発明は、従来の方法で製造した真空断熱材にそのまま適用することができるので、あまりコストを掛けずに断熱性能が優れた真空断熱材を製造することができる。
【図面の簡単な説明】
【００５１】
【図１】本発明に用いる従来方法により製造した真空断熱材の平面図。
【図２】図１に示した真空断熱材の周縁部を芯材側に折り込んだ状態を示す部分拡大側面図。
【図３】図２に示した真空断熱材の他の周縁部を芯材側に折り込む前の状態を示す部分拡大斜視図。
【図４】図１に示した真空断熱材の芯材角部周辺を平面側から見た斜視図。
【図５】図４に示した芯材角部周辺の上面側の部分切開斜視図。
【図６】全体加熱による本発明真空断熱材の製造方法の一例を示す斜視図。
【図７】本発明真空断熱材の製造工程の一例を示す平面図。
【図８】本発明真空断熱材の製造工程の別例を示す平面図。
【図９】中央部に円形の貫通孔を有する芯材を用いた真空断熱材の一例の平面図。
【図１０】中央部に円形の貫通孔を有する芯材を用いた真空断熱材の別例の平面図。
【図１１】側辺部に切欠きを有する芯材を用いた真空断熱材の一例の平面図。
【図１２】鍵穴状の貫通孔を有する芯材を用いた真空断熱材の一例の平面図。
【図１３】中央部に長方形の貫通孔を有する芯材を用いた真空断熱材の一例の平面図。
【図１４】中央部に長方形の貫通孔を有する芯材を用いた真空断熱材の別例の平面図。
【図１５】平面略Ｌ字状の芯材を用いた真空断熱材の一例の平面図。
【図１６】図16は複雑な形状の芯材を用いた真空断熱材の製造工程の一例を示す平面図で、図16(a)は周縁をヒートシールした真空断熱材、図16(b)は真空断熱材の全体を常圧下で加熱した真空断熱材、図16(c)は熱溶着されたガスバリア性フィルムを芯材に沿ってカットした真空断熱材を示している。
【符号の説明】
【００５２】
１，７，９，11，13，15，17，19，21，23    真空断熱材
３    ガスバリア性フィルム
４    折り曲げ線
２，８，10，12，14，16，18，20，22    芯材
５    乾燥器
６    熱風送風器
Ｆ    外装袋体
ｈ    ヒートシールされている部分
Ｈ    熱溶着された部分
Ｍ    未溶着部分
Ｑ    折れ曲がり部
Ｒ    折れ重なり部
Ｓ    角隅部
Ｔ    尖鋭部
Ｋ    切り込み線
【図１】
2006329419.tif 000005
【図２】
2006329419.tif 000006
【図３】
2006329419.tif 000007
【図４】
2006329419.tif 000008
【図５】
2006329419.tif 000009
【図６】
2006329419.tif 000010
【図７】
2006329419.tif 000011
【図８】
2006329419.tif 000012
【図９】
2006329419.tif 000013
【図１０】
2006329419.tif 000014
【図１１】
2006329419.tif 000015
【図１２】
2006329419.tif 000016
【図１３】
2006329419.tif 000017
【図１４】
2006329419.tif 000018
【図１５】
2006329419.tif 000019
【図１６】
2006329419.tif 000020
【手続補正書】
【提出日】平成18年5月23日(2006.5.23)
【手続補正１】
【補正対象書類名】特許請求の範囲
【補正対象項目名】全文
【補正方法】変更
【補正の内容】
【特許請求の範囲】
【請求項１】
熱溶着層を有するガスバリア性フィルムよりなる袋体に芯材を収納し、内部を減圧状態で密封した真空断熱材を、その全体又は未溶着部分を常圧下で無圧加熱して前記袋体の未溶着部を熱溶着したことを特徴とする真空断熱材。
【請求項２】
加熱する未溶着部分は、袋体の内部減圧により芯材の角部周辺に生じるガスバリア性フィルムの折れ曲がり部，折れ重なり部，角隅部のいずれかが含まれた未溶着部である請求項１の真空断熱材。
【請求項３】
加熱する未溶着部分には、真空断熱材の周辺の余剰ガスバリア性フィルムを芯材側へ折り込む際に芯材周辺に生じる折り曲げ部や該折り曲げ部における尖鋭部を含む請求項２の真空断熱材。
【請求項４】
常圧下での全体又は部分の加熱温度は、熱溶着層の融点より５〜35℃程度高い温度である請求項１〜３のいずれかの真空断熱材。
【請求項５】
熱溶着層は、高密度ポリエチレン（HDPE）、低密度ポリエチレン（LDPE）、リニア低密度ポリエチレン（LLDPE）、未延伸ポリプロピレン（CPP）、延伸ポリプロピレン（OPP）、ポリ塩化ビニリデン（PVDC）、ポリ塩化ビニル（PVC）、エチレン-酢酸ビニル共重合体（EVA）、エチレン-ビニルアルコール共重合体（EVOH）のいずれかのプラスチックフィルムである請求項１〜４のいずれかの真空断熱材。
【請求項６】
熱溶着層の厚みは、5〜50μｍである請求項１〜５のいずれかの真空断熱材。
【請求項７】
芯材は、貫通孔及び／又は切欠きを有する請求項１〜６のいずれかの真空断熱材。
【請求項８】
芯材は、連続気泡硬質プラスチック発泡体、又は、無機物、若しくは、連続気泡硬質プラスチック発泡体と無機物の積層体である請求項１〜７のいずれかの真空断熱材。
【請求項９】
貫通孔又は切欠きに囲まれた部分のガスバリア性フィルム同士の溶着部に切り込み線、又は、前記貫通孔又は切欠きの内周縁に沿った穴又は切欠きを設けた請求項７又は８の真空断熱材。
【請求項１０】
切り込み線は、貫通孔の中心部から周縁部の外周端にかけて設けた請求項９の真空断熱材。
【請求項１１】
真空断熱材の芯材を構成する無機物は、ガラス繊維に有機バインダーを0.5〜1.5wt％塗布して積層、加熱圧縮成形したガラス繊維マットである請求項１〜10のいずれかの真空断熱材。
【請求項１２】
芯材にはガス吸着剤を埋没させて設けた請求項１〜11のいずれかの真空断熱材。
【請求項１３】
真空断熱材の芯材を構成する無機物は、ガラス繊維の積層体に有機バインダー等の結合剤を塗布せずにニードルパンチにより圧縮成形したガラス繊維マットである請求項１〜10のいずれかの真空断熱材。
【請求項１４】
真空断熱材の芯材を構成する無機物は、ガラス繊維を水を用いて集綿し、加熱圧縮成形したガラス繊維マットである請求項１〜10の真空断熱材。
【請求項１５】
熱溶着層を有するガスバリア性フィルムよりなる袋体に芯材を収納し、内部を減圧状態で密封した真空断熱材を、その全体又は未溶着部分を常圧下で無圧加熱して前記袋体の未溶着部を熱溶着することを特徴とする真空断熱材の製造方法。
【請求項１６】
加熱する未溶着部分は、袋体の内部減圧により芯材の角部周辺に生じるガスバリア性フィルムの折れ曲がり部，折れ重なり部，角隅部のいずれかが含まれた未溶着部である請求項15の製造方法。
【請求項１７】
加熱する未溶着部分には、真空断熱材の周辺の余剰ガスバリア性フィルムを芯材側へ折り込む際に芯材周辺に生じる折り曲げ部や該折り曲げ部における尖鋭部を含む請求項16の製造方法。
【請求項１８】
常圧下での全体又は部分の加熱温度は、熱溶着層の融点より５〜35℃程度高い温度である請求項15〜17のいずれかの製造方法。
【請求項１９】
芯材は、貫通孔及び／又は切欠きを有する請求項15〜18のいずれかの製造方法。
【請求項２０】
芯材は、連続気泡硬質プラスチック発泡体、又は、無機物、若しくは、連続気泡硬質プラスチック発泡体と無機物の積層体である請求項15〜19のいずれかの製造方法。
【請求項２１】
貫通孔又は切欠きに囲まれた部分のガスバリア性フィルム同士の溶着部に切り込み線、又は、前記貫通孔又は切欠きの内周縁に沿った穴又は切欠きを設ける請求項19又は20の製造方法。
【請求項２２】
切り込み線は、貫通孔の中心部から周縁部の外周端にかけて設ける請求項21の製造方法。
【手続補正２】
【補正対象書類名】明細書
【補正対象項目名】全文
【補正方法】変更
【補正の内容】
【発明の詳細な説明】
【技術分野】
【０００１】
本発明は、周縁に形成されるガスバリア性フィルム同士の積層部分（周縁部）を折り込んで使用する真空断熱材の使用形態を考慮し、周縁部を折り込んだときにフィルムに微小な孔や亀裂が生じても外部からガスが浸入し、内部の真空度が低下して断熱性能が悪化したりすることがなく、また、パイプなどが通っている複雑な形状の箇所にも装着することができる真空断熱材とその製造方法に関する。
【背景技術】
【０００２】
真空断熱材は、ガスバリア性に優れた複合プラスチックラミネートフィルムからなる袋体に、芯材として連続気泡硬質プラスチック発泡体や無機物などを収納し、内部を減圧した後、周縁のガスバリア性フィルム同士の積層部分をヒートシールして製造される。一般に真空断熱材は、外装袋体を通して空気や水分が透過し、或いは内部において二酸化炭素や有機ガスが発生するため、時間の経過とともに真空度は少しずつ低下し、それに応じて熱伝導率が大きくなり高度な断熱性を維持することができないという問題がある。
【０００３】
また、真空断熱材は、その周縁にガスバリア性フィルム同士の積層部分があるため、使用時に隙間なく装着するためには周縁部を折り曲げたりする必要がある。例えば、特許文献１には、真空断熱材を箱体の側壁内部に装着すると周縁の積層部分が邪魔になり、端部において隙間が生じてしまうため、この積層部分を容易に折り曲げることができるようにして端部に隙間が生じないようにし、この問題の解決を図っている。
【０００４】
しかしながら、真空断熱材周縁の積層部分は、ガスバリア性フィルム同士が密着しているが、図１に示したように、真空断熱材１の周縁部1aにおけるヒートシールされている部分ｈ以外の芯材２に近い側は熱溶着されない未溶着部分Ｍとなっている。この周縁部1aを図２に示したように折り込んだとき、未溶着部分Ｍが折り曲げ部の線（以下、折り曲げ線４という）上に位置している場合が多い。そのため、折り込んだときに折り曲げ線４上のフィルムに微小な孔や亀裂が生じたりすると、そこからガスが徐々に浸入し、内部の真空度が低下して断熱性能が悪化し易いという問題があった。更に、図２に示した状態から他の周縁部1aを図３に矢印で示したように折り込むと真空断熱材１の角隅部において周縁部1aと1a'の２度折り込まれる部分に尖鋭な先端（以下、尖鋭部という）が形成されるため、その尖鋭部Ｔに他の部材が衝突したりすると、亀裂などが生じて上記と同様に断熱性能が悪化し易いという問題があった。
【０００５】
上記の問題を解決するために、長方形の板状の芯材を用いて従来の方法により製造した真空断熱材における未溶着部分を調べたところ、未溶着部分Ｍは、芯材２の四辺に沿った芯材２に近い側にあるほか、芯材２の角部周辺におけるガスバリア性フィルム3a，3bの積層部分の複雑な形状部分と相俟ってあることがわかった。詳細には、図４に示したように真空断熱材１の製造時に袋体Ｆの内部減圧により芯材２の角部周辺に生じるガスバリア性フィルム3a，3bの積層部分の折れ曲がり部Ｑ，折れ重なり部Ｒ、図５に示したような角隅部Ｓに未溶着部分Ｍがあることがわかった。これは芯材２より大きめの２枚のガスバリア性フィルム3a，3bを芯材２を挟んで重ね合わせ、周縁のガスバリア性フィルム3a，3b同士を積層するとき、芯材２の角部周辺ではフィルム3a，3bに余剰部分が出てしまい、減圧したときその余剰部分が上記のような複雑な断面形状の積層形態となって現れるからであると推測される。なお、この複雑な断面形状の積層形態は、収納する芯材２の厚みとも関連し、特に芯材２が厚い場合はその角部周辺に大き目の折れ曲がり部Ｑ，折れ重なり部Ｒ，角隅部Ｓが生じ易く、その結果、芯材２が厚い場合は角部周辺に多くの未溶着部分Ｍがあるものと推測される。
【０００６】
また、従来の真空断熱材１では、芯材２の表裏面とガスバリア性フィルム3a，3b内面の熱溶着層とは減圧により密着しているが、溶着まではされていないため、上記のような原因でガスの浸入が起きると芯材２の表裏面とガスバリア性フィルム3a，3bとの間にガスが入り込んで内部の真空度が低下するという問題もあった。
【０００７】
更に、別の問題として、従来の真空断熱材には、平面矩形状のものが多いため、例えば，電源線や通信線などを通すためのパイプや鉄骨等が貫いている壁面に装着する場合、パイプ等を避けてその周囲に小型の真空断熱材を多数枚装着するなどして対応していたが、パイプ等の周辺からの熱伝導が大きくなってしまい、また、小型の真空断熱材を多数枚製造するためのコストが掛かりすぎるという問題があった。
【０００８】
上記のような問題を解決するため、特許文献２では、熱溶着層を有するガスバリア性の外被材と、板状の芯材とを有し、熱溶着層同士が対向する外被材の間に前記芯材が減圧密封されて成り、外被材の間に芯材がある部分を含めて加熱加圧することにより、対向する熱溶着層同士が芯材形状に沿うように熱溶着された真空断熱材の発明が提案されている。
【０００９】
また、特許文献３には、適用する対象物の形状に制限が少なく、用途の広い真空断熱材として、熱溶着層を有するガスバリア性の外被材と、板状の芯材とを有し、前記熱溶着層同士が対向する前記外被材の間に前記芯材が減圧密封され、前記芯材の周囲に前記芯材を間に含まず密着した前記外被材のみから構成される周縁部が形成された真空断熱材であって、前記外装材の間に前記芯材がある部分の前記熱溶着層が溶融して、前記芯材の表面部分と結着しており、周縁部における対向する前記熱溶着層同士が芯材形状に沿うように熱溶着されている真空断熱材の発明が提案されている。
【００１０】
更に、特許文献４には、配線、配管、機器等を通せる貫通孔および／またはドアヒンジ固定用部材等を設けることのできる切欠き部を有する真空断熱パネルとして、断熱芯材がガスバリアー性包装材よりなる袋の中に真空排気された状態で封入されてなる真空断熱パネルにおいて、該真空断熱パネルが貫通孔部および／または切欠き部を有し、かつ該貫通孔部および／または切欠き部の内周部に沿ってガスバリアー性包装材同士を融着したシール部が形成されてなる真空断熱パネルで、シール部の内側に、切り抜きまたはスリットが形成されてなる真空断熱パネルの発明が提案されている。
【００１１】
上記特許文献２，３において提案されている発明の真空断熱材は、真空断熱材を製造するときの熱溶着において、弾性体で構成された熱板を使用し、外被材の間の芯材の有無を熱板の変形によって吸収することにより、対向する熱溶着層同士を芯材形状に沿うように熱溶着している。しかしながら、このような加熱加圧方法では、弾性体で構成された熱板の変形は、芯材の厚みを考慮すると限度があるため、芯材の四辺に沿ったガスバリア性フィルム（外装材）の積層部分における芯材に近い側に未溶着部分が残り易いという問題があった。また、真空断熱材の大きさに見合う弾性体で構成された熱板を別途用意する必要があるため、製造コストが掛かりすぎるという問題もあった。更に、特許文献２，３において提案されている真空断熱材では、芯材の角部周辺に余剰のガスバリア性フィルムにより生じる当該フィルムの折れ曲がり部，折れ重なり部，角隅部については全く考慮されておらず、これらの部位にある未溶着部分の溶着が十分なされるとはいい難い。特に、弾性体で構成された熱板では、芯材の角部周辺に対し、十分な加熱加圧がなされ難いといった問題があった。
【００１２】
また、上記特許文献４において提案されている発明の真空断熱パネルについても、貫通孔部や切欠き部の内周部に沿ってガスバリアー性包装材同士を融着したシール部が形成されているが、ガスバリアー性包装材同士の融着には、熱板が使用されているものと推測される。従って、貫通孔部や切欠き部の内周部に沿ってシールされるとしても、これら貫通孔部や切欠き部に近い側が十分熱溶着されているとはいい難い。また、この特許文献４において提案されている発明においても、芯材の角部周辺に余剰のガスバリア性フィルムにより生じる当該フィルムの折れ曲がり部，折れ重なり部，角隅部については全く考慮されておらず、これらの部位にある未溶着部分の溶着が十分なされているとはいい難い。
【特許文献１】特開２００１−２９５９８４号公報
【特許文献２】特許第３５５９０３５号公報
【特許文献３】特開２００４−１９７９５４号公報
【特許文献４】特開平８−３０３６８６号公報
【発明の開示】
【発明が解決しようとする課題】
【００１３】
本発明は、真空断熱材の周縁部を芯材側に向け折り込んで使用するときに、従来の真空断熱材には上記のような問題点があることに鑑み、芯材の四辺に沿った芯材に近い側にある周縁部の未溶着部分のほか、芯材の角部周辺に生じるガスバリア性フィルムの折れ曲がり部，折れ重なり部，角隅部を含む未溶着部分を溶着させることにより、折り込んだときフィルムに小さな孔が開き、また角隅部先端に亀裂が生じてもガスの浸入を防止することができ、内部の真空度の低下が起こらない新たな真空断熱材とその製造方法を提供することを、その課題とするものである。
【課題を解決するための手段】
【００１４】
上記課題を解決することを目的としてなされた本発明真空断熱材の構成は、熱溶着層を有するガスバリア性フィルムよりなる袋体に芯材を収納し、内部を減圧状態で密封した真空断熱材を、その全体又は未溶着部分を常圧下で無圧加熱して前記袋体の未溶着部を熱溶着したことを特徴とするものである。
【００１５】
また、上記課題を解決することを目的としてなされた本発明真空断熱材の製造方法の構成は、熱溶着層を有するガスバリア性フィルムよりなる袋体に芯材を収納し、内部を減圧状態で密封した真空断熱材を、その全体又は未溶着部分を常圧下で無圧加熱して前記袋体の未溶着部を熱溶着することを特徴とするものである。
【００１６】
本発明は、上記構成において、加熱する未溶着部分は、袋体の内部減圧により芯材の角部周辺に生じるガスバリア性フィルムの折れ曲がり部，折れ重なり部，角隅部のいずれかが含まれた未溶着部であり、加熱する未溶着部分には、真空断熱材の周辺の余剰ガスバリア性フィルムを芯材側へ折り込む際に芯材周辺に生じる折り曲げ部や該折り曲げ部における尖鋭部を含んでいる。また、上記の常圧下での全体又は部分の加熱温度は、熱溶着層の融点より５〜35℃程度高い温度であるのが好ましい。
【００１７】
上記の熱溶着層には、高密度ポリエチレン（HDPE）、低密度ポリエチレン（LDPE）、リニア低密度ポリエチレン（LLDPE）、未延伸ポリプロピレン（CPP）、延伸ポリプロピレン（OPP）、ポリ塩化ビニリデン（PVDC）、ポリ塩化ビニル（PVC）、エチレン-酢酸ビニル共重合体（EVA）、エチレン-ビニルアルコール共重合体（EVOH）のいずれかのプラスチックフィルムを使用することができる。この熱溶着層の厚みは、5〜50μｍであるのが好ましい。
【００１８】
次に、本発明は、上記構成において、芯材に、貫通孔及び／又は切欠きを有するものを使用することができる。芯材としては、連続気泡硬質プラスチック発泡体、又は、無機物、若しくは、連続気泡硬質プラスチック発泡体と無機物の積層体を使用することができる。
【００１９】
また、貫通孔又は切欠きに囲まれた部分のガスバリア性フィルム同士の溶着部に切り込み線、又は、前記貫通孔又は切欠きの内周縁に沿った穴又は切欠きを設けた構成にすることもできる。更に、切り込み線は、貫通孔の中心部から周縁部の外周端にかけて設ける構成にしてもよい。
【００２０】
上記の芯材を構成する無機物には、ガラス繊維に有機バインダーを0.5〜1.5wt％塗布して積層、加熱圧縮成形したガラス繊維マットを使用するのが望ましい。なお、芯材にガス吸着剤を埋没させて設けた構成にすることができる。
【００２１】
また、上記の芯材を構成する無機物には、ガラス繊維の積層体に有機バインダー等の結合剤を塗布せずにニードルパンチにより圧縮成形したガラス繊維マットを使用することができ、更に、ガラス繊維を水を用いて集綿し、加熱圧縮成形したガラス繊維マットを使用することもできる。
【発明の効果】
【００２２】
本発明は、従来方法で製造した真空断熱材の全体又は未溶着部分を熱板などを用いずに常圧下で更に加熱することにより、芯材の四辺に沿った部分にある未溶着部分ほか、袋体の内部減圧により芯材の角部周辺に生じた余剰のガスバリア性フィルムによるフィルムの折れ曲がり部，折れ重なり部，角隅部などにおける未溶着部分を十分溶着させることができるので、特に真空断熱材の周縁部分を芯材側に向け折り込んで使用するときに、折曲線上や角隅部にできる尖鋭部Ｔに小さな孔や亀裂が生じても、外部からガスが浸入することがなく、内部の真空度が低下することがないという効果が得られる。また、未溶着部分のみを常圧下で部分加熱した場合は、芯材からのガスの発生を抑えることができるのでより効果的である。
【００２３】
更に、本発明による真空断熱材は、芯材に貫通孔や切欠き、又は、これらの両方を有するものを使用することができるので、パイプ等が貫通している壁面や複雑な形状の装着部分に対しても容易に装着することができ、断熱性能を向上させることができる。更には、貫通孔や切欠きに囲まれたガスバリア性フィルム同士の溶着部分に切り込み線や穴を設けておくことができ、特に、貫通孔の中心部から真空断熱材の周縁部の外周端にかけて切り込み線を設けた場合は、パイプ等を取り付けた後からでも真空断熱材を装着することができるという効果が得られる。
【発明を実施するための最良の形態】
【００２４】
次に、本発明の実施の形態例を図に拠り説明する。図１は本発明に用いる従来方法により製造した真空断熱材の平面図、図２は図１に示した真空断熱材の周縁部を芯材側に折り込んだ状態を示す部分拡大側面図、図３は図２に示した真空断熱材の他の周縁部を芯材側に折り込む前の状態を示す部分拡大斜視図、図４は図１に示した真空断熱材の芯材角部周辺を平面側から見た斜視図、図５は図４に示した芯材角部周辺の上面側の部分切開斜視図、図６は全体加熱による本発明真空断熱材の製造方法の一例を示す斜視図、図７は本発明真空断熱材の製造工程の一例を示す平面図、図８は本発明真空断熱材の製造工程の別例を示す平面図、図９は中央部に円形の貫通孔を有する芯材を用いた真空断熱材の一例の平面図、図10は中央部に円形の貫通孔を有する芯材を用いた真空断熱材の別例の平面図、図11は側辺部に切欠きを有する芯材を用いた真空断熱材の一例の平面図、図12は鍵穴状の貫通孔を有する芯材を用いた真空断熱材の一例の平面図、図13は中央部に長方形の貫通孔を有する芯材を用いた真空断熱材の一例の平面図、図14は中央部に長方形の貫通孔を有する芯材を用いた真空断熱材の別例の平面図、図15は平面略Ｌ字状の芯材を用いた真空断熱材の一例の平面図、図16は複雑な形状の芯材を用いた真空断熱材の製造工程の一例を示す平面図で、図16(a)は周縁をヒートシールした真空断熱材、図16(b)は真空断熱材の全体を常圧下で加熱した真空断熱材、図16(c)は熱溶着されたガスバリア性フィルムを芯材に沿ってカットした真空断熱材を示している。
【００２５】
図１から図４は、上述したように本発明に用いる一例の真空断熱材１を示している。この真空断熱材１は、従来の方法で製造したもので、熱溶着層を有するガスバリア性フィルム３よりなる外装袋体Ｆに芯材２を収納し、内部を減圧状態にして開口部を密封してなるものである。製造方法としては、芯材２をこれより大き目の２枚のガスバリア性フィルム3a，3bで挟み込み、減圧状態にして周縁のガスバリア性フィルム3a，3b同士の積層部分をヒートシールして製造したものであってもよい。なお、1aは、真空断熱材１の周縁部で、外装袋体Ｆにおける芯材２を挟み込んでいないガスバリア性フィルム3a，3b同士の積層した部分である。この周縁部1aの幅は、芯材２の厚みとも関連するが、一般に10〜50ｍｍ程度、好ましくは10〜30ｍｍ程度が望ましい。
【００２６】
上記従来の方法で製造した真空断熱材１は、図１により説明したように、周縁部1aのヒートシールされている部分ｈと芯材２との間は、減圧によりガスバリア性フィルム3a，3b同士は密着しているものの熱溶着されていない。そのため、図２，図３により説明したように周縁部1aをそのまま芯材２側に折り込んだときに問題が生じる。また、図４に示したように、真空断熱材１の製造時に芯材２の角部周辺に生じるガスバリア性フィルム3a，3bの積層部分の折れ曲がり部Ｑ，折れ重なり部Ｒ、図５に示したような角隅部Ｓに未溶着部分Ｍがある。
【００２７】
本発明は、上記の従来の方法で製造した真空断熱材１をベースにその全体又は未溶着部分を常圧下で加熱して外装袋体Ｆの外周辺、即ち、真空断熱材１の周縁部1aにある未溶着部を熱溶着することにより製造される。全体の加熱は、ここでは真空断熱材１を図６に示したような乾燥器５に入れて行っている。全体加熱により図７に示したように芯材２の四辺に沿った芯材２に近い側は勿論、芯材２の角部周辺における折れ曲がり部Ｑや折れ重なり部Ｒ、角隅部Ｓにある未溶着部分Ｍをすべてを溶着Ｈさせることができる。また、全体加熱により芯材２の表面とガスバリア性フィルム3aの熱溶着層、裏面とガスバリア性フィルム3bの熱溶着層をそれぞれ溶着させることができる。
【００２８】
次に、未溶着部分Ｍの常圧下での部分加熱は、主に芯材２の角部周辺の折れ曲がり部Ｑや折れ重なり部Ｒ、角隅部Ｓに対し、図８に示したように熱風送風器６により熱風を送ることにより、これらにある未溶着部分Ｍを溶着させる。なお、当然、芯材２の四辺に沿った芯材２に近い側にある未溶着部分Ｍを溶着させることもできる。この部分加熱は、全体加熱と比較し、加熱により芯材２から出るガスの発生を最小限にすることができるので、真空断熱材１の内部を高真空に維持することができる。
【００２９】
ガスバリア性フィルム３の詳細な構成、熱溶着層の部材などについては後に説明するが、例えば、熱溶着層のプラスチックフィルムが高密度ポリエチレン（HDPE）、リニア低密度ポリエチレン（LLDPE），未延伸ポリプロピレン（CPP）の場合、HDPEの密度は0.93〜0.95，融点は120〜130℃、LLDPE の密度は0.91〜0.93，融点は100〜110℃、CPP の密度は0.90前後，融点は130〜170℃であるので、これらHDPE，LLDPE，CPPの熱溶着層の融点より５〜35℃程度高い温度で加熱する。因みに、熱溶着層のプラスチックフィルムがHDPEの場合の接着（溶着）強度を加熱温度を変えて測定したところ下記の表１の通りであった。なお、測定には、測定器としてオートグラフ・AGS-H・1kN(島津製作所)を使用し、クロスヘッドスピードを300mm/minの条件で、熱溶着層の厚み50μｍのものについて行った。
【００３０】
【表１】
2006329419.tif 000021
【００３１】
上記の真空断熱材１では、芯材２に平面長方形の板状のものを使用してるが、後述するように貫通孔や切欠きを有する芯材を使用することができる。また、芯材２の外形も長方形に限られず、平面形状が正方形や台形，六角形，円形，楕円形等の芯材を使用することができる。
【００３２】
次に、外装袋体Ｆを形成するガスバリア性フィルム３の構成について説明すると、ガスバリア性フィルム３は複合プラスチックラミネートフィルムにより形成されており、熱融着層と金属箔と他のプラスチックフィルムを積層した構成のものである。金属箔としては、アルミニウム箔やスチール箔，ステンレス箔，銅箔等を使用することができる。また、金属箔の代わりに金属や無機物の蒸着フィルムを使用しプラスチックフィルムと積層したフィルムを使用することもできる。
【００３３】
複合プラスチックラミネートフィルムの一例として、ポリエチレンテレフタレートフィルム／ナイロンフィルム／アルミ箔／ポリエチレンフィルムの４層構造のラミネートフィルムが挙げられるが、これ以外に、ポリエチレンテレフタレートフィルム／アルミ箔／高密度ポリエチレンフィルムの３層構造のラミネートフィルムもあり、これらのフィルムを袋体Ｆに形成するときは、ポリエチレンフィルムが袋体Ｆの内側になるように構成される。上記のラミネートフィルムのアルミ箔をアルミ蒸着フィルムに代えたものも勿論、使用することができる。なお、熱溶着層のポリエチレン（PE）フィルムには、上述したHDPE，LLDPEのほか、低密度ポリエチレン（LDPE）のいずれかのフィルムを選択して使用することができ、更に、PE以外に、上述したCPPのほか、延伸ポリプロピレン（OPP），ポリ塩化ビニリデン（PVDC），ポリ塩化ビニル（PVC），エチレン-酢酸ビニル共重合体（EVA），エチレン-ビニルアルコール共重合体（EVOH）のいずれかのプラスチックフィルムを使用することもできる。熱溶着層の厚みは、本発明では5〜50μｍであるのが好ましい。
【００３４】
次に、芯材２の構成について説明すると、芯材２には、連続気泡硬質プラスチック発泡体、又は、無機物、若しくは、連続気泡硬質プラスチック発泡体と無機物の積層体などを使用することができる。無機物には、ガラス繊維に有機バインダーを0.5〜1.5wt％塗布して積層、加熱圧縮成形したガラス繊維マットを使用することができる。なお、連続気泡硬質プラスチック発泡体には、従来の真空断熱材で使用されているものを使用することができる。また、図示しないが、芯材２にはガス吸着剤を埋没させて経時的に芯材２から発生するアウトガスまたは、ヒートシール部等から浸入するガスを吸収する構成にしてもよい。
【００３５】
また、真空断熱材１の芯材２を構成する無機物には、ガラス繊維の積層体に有機バインダー等の結合剤を塗布せずにニードルパンチにより圧縮成形したガラス繊維マットを使用することができる。更に、ガラス繊維を水を用いて集綿し、加熱圧縮成形したガラス繊維マットを使用することもできる。
【００３６】
次に、芯材には、貫通孔や切欠きを有するもの、或は、貫通孔と切欠きの両方を有するものを使用することができる。これらは壁面に配線用などに使用されるパイプ等が通っている場合があり、そのような壁面に対しても装着することができる真空断熱材にするためである。また、切欠きは、例えば支柱などの構造部材の一部が壁面に食い込むように入り込んでいる場合に対応するためである。
【００３７】
図９は、真空断熱材７の中心部に円形の穴7bが形成されているものの一例で、８はこれに見合う貫通孔を有する芯材である。なお、7aは真空断熱材７の熱溶着された周縁部、7cは円形の穴7bを囲むガスバリア性フィルム3a，3b同士の溶着した積層部分である。
【００３８】
図10は、真空断熱材９の中心部にガスバリア性フィルム3a，3b同士が溶着し凹んだ積層部分9cが形成されている構成の一例である。この真空断熱材９の芯材10は、図７に示したものと同様、中心部に貫通孔を有している。上記の凹んだ積層部分9cの中心部に十字形に切り込み線Ｋが設けられている。この切り込み線Ｋは、装着する壁面に通っているパイプの外径に対応してその切込み幅を調整する。なお、9aは真空断熱材９の熱溶着された周縁部である。
【００３９】
図11は、真空断熱材11の側辺に円弧状の切欠き11ｂが形成されているものの一例で、12はこれに見合う形状の切欠きを有する芯材である。11cは、切欠き11ｂの周縁のガスバリア性フィルム3a，3b同士が溶着した部分である。
【００４０】
図12は、真空断熱材13の中心部にガスバリア性フィルム3a，3b同士が溶着し鍵穴状に凹んだ積層部分13cが形成されている構成の一例で、この真空断熱材13の芯材14は、鍵穴状の貫通孔を有している。上記の凹んだ積層部分13cには貫通孔の中心部に十字状の切り込み線Ｋとこの切り込み線Ｋから周縁部13aの外周端にかけて延びた切り込み線Ｋが設けられている。この真空断熱材13は、既にパイプ等が配管されている壁面に対し、外周端から切り込み線Ｋを貫通孔の中心部まで切り、その切り開いたところにパイプ等を入れパイプ等を挟み込むようにして壁面に装着することができる。
【００４１】
図13は、真空断熱材15の中心部にガスバリア性フィルム3a，3b同士が溶着し長方形に凹んだ積層部分15cが形成されている構成の一例である。この真空断熱材15の芯材16は、長方形の貫通孔を有している。上記の凹んだ積層部分15cには切り込み線Ｋが設けられていて、装着する壁面に通っているパイプの数や外径に対応してその切り込み線Ｋにおける切込み位置や大きさを調整することができる。なお、15aは真空断熱材15の熱溶着された周縁部である。
【００４２】
図14は、真空断熱材17の中心部に３個の貫通穴17ｂが、ガスバリア性フィルム3a，3b同士が溶着し長方形に凹んだ積層部分17cに形成されている構成の一例である。この真空断熱材17の芯材18は、図11のものと同様に長方形の貫通孔を有している。なお、17aは真空断熱材17の熱溶着された周縁部である。
【００４３】
図15は、平面略Ｌ字状で、内側角部に溝状の切欠き19bが形成されている真空断熱材19の一例である。真空断熱材19の芯材20は、平面略Ｌ字状で内側角部に略円形乃至円弧状の切欠き20aを有している。この真空断熱材19は、芯材20を３方が熱溶着されたガスバリア性フィルム3a，3bで構成された袋体に入れ、内部を真空引きしながら密封して形成した真空断熱材を、更にその全体を常圧下で加熱して上下のガスバリア性フィルム3a，3b同士の未溶着部分を熱溶着して製造される。溝状の切欠き19bは、この全体加熱により熱溶着された芯材20の切欠き20aに囲まれたガスバリア性フィルム3a，3b同士の積層部分の一部を切り込んで形成されている。このようにしたのは、平面略Ｌ字状の真空断熱材の場合、内側角部に溝状の切欠き19bがないと、周縁部を折り込むとき、内側角部のところが畳めないため、折り込めないからである。なお、19aは真空断熱材19の熱溶着された周縁部である。
【００４４】
次に、図16により複雑な形状の芯材を用いた真空断熱材21の製造工程の一例を説明する。図16(a)は、丸みを帯びた形状の芯材22を３方が熱溶着されたガスバリア性フィルム3a，3bで構成された袋体Ｆに入れ、内部を真空引きしながら密封して形成した真空断熱材21を示している。通常、ヒートシールされている部分ｈは直線であるため、芯材22の形状に沿って形成することが困難で、芯材が単純な四角形の場合のように、周縁部に残るガスバリア性フィルム３を芯材上部に折り畳むことができない。図16(b)は、図16(a)の真空断熱材21の全体を更に常圧下で加熱して上下のガスバリア性フィルム3a，3b同士の未溶着部分を熱溶着Ｈした状態のものを示している。図16(c)は、図16(b)の真空断熱材21を芯材22の周縁部に上下ガスバリア性フィルムが熱溶着Ｈされた部分を一定の幅で残して、その他の部分をカットして製造した真空断熱材23を示している。
【００４５】
図９から図16に例示したもの以外に、芯材の貫通孔又は切欠きは、平面形状が、三角形，四角形，六角形，八角形などの多角形、又は、星形、若しくは、異形の円形，異形の多角形などであってもよく、また、貫通孔と切欠きの両方を有する芯材を使用してもよい。
【実施例】
【００４６】
次に、12×300×400ｍｍの大きさで、有機バインダー1.2wt％塗布して積層，加熱圧縮成形したガラス繊維マットからなる芯材で貫通孔を有するものと有しないものを用意し、それぞれアルミ箔複合プラスチックラミネートフィルムを用いて製造した370×500ｍｍの大きさの外装袋体にガス吸着剤を入れないで収納した後、内部を真空引きして開口部をヒートシールして製造した真空断熱材を図６に示した乾燥器内に入れ、その全体を130℃の雰囲気下で５分間放置し、周縁部、貫通孔周辺における未溶着部分、及び、フィルムと芯材の表裏面における密着部を熱溶着させて本発明の真空断熱材をそれぞれ製造した。なお、貫通孔の直径は10ｍｍにした。
【００４７】
〔性能試験〕
上記の芯材に貫通孔を有するものと有しないものを、加速温度70℃×dry、70℃×95％RHの条件で、熱伝導率を製造直後から最長152日に亘り測定する性能試験を、全体加熱を行わなかったものと比較して行った。熱伝導率の測定には、熱伝測定機HC-074-300（英弘精機製）を使用した。結果は下記の表２の通りである。
【００４８】
【表２】
2006329419.tif 000022
【００４９】
〔評価〕
表２から明らかなように、未溶着部分の熱溶着を行わなかったものと比較し、全体加熱により未溶着部分の熱溶着を行った本発明の真空断熱材の熱伝導率は、貫通穴を有するものも有しないものも、ともに熱伝導率の低下は少なかった。この傾向は、条件が70℃×dryの場合も、70℃×95％RHの場合も同様であった。なお、貫通穴を有しないものの方が、有するものと比較し、熱伝導率の低下は少なかった。
【産業上の利用可能性】
【００５０】
本発明は、真空断熱材の周縁部を芯材側に向け折り込んで使用するときに生じる問題点、即ち、従来の真空断熱材では、ガスバリア性フィルム同士の未溶着部分が芯材の四辺に沿った所や角隅部周辺にある状態でそれらの未溶着部分を一緒に折り込んで使用していたため、フィルムに小さな孔が開き、また角隅部先端に亀裂が生じてガスが浸入し内部の真空度が低下し易いといった問題を、未溶着部分を予め溶着させることにより、周縁部を折り込んだときこのような問題が起こらないようにしたので、長期間の使用に耐え得る優れた真空断熱材といえる。また、本発明は、従来の方法で製造した真空断熱材にそのまま適用することができるので、あまりコストを掛けずに断熱性能が優れた真空断熱材を製造することができる。
【図面の簡単な説明】
【００５１】
【図１】本発明に用いる従来方法により製造した真空断熱材の平面図。
【図２】図１に示した真空断熱材の周縁部を芯材側に折り込んだ状態を示す部分拡大側面図。
【図３】図２に示した真空断熱材の他の周縁部を芯材側に折り込む前の状態を示す部分拡大斜視図。
【図４】図１に示した真空断熱材の芯材角部周辺を平面側から見た斜視図。
【図５】図４に示した芯材角部周辺の上面側の部分切開斜視図。
【図６】全体加熱による本発明真空断熱材の製造方法の一例を示す斜視図。
【図７】本発明真空断熱材の製造工程の一例を示す平面図。
【図８】本発明真空断熱材の製造工程の別例を示す平面図。
【図９】中央部に円形の貫通孔を有する芯材を用いた真空断熱材の一例の平面図。
【図１０】中央部に円形の貫通孔を有する芯材を用いた真空断熱材の別例の平面図。
【図１１】側辺部に切欠きを有する芯材を用いた真空断熱材の一例の平面図。
【図１２】鍵穴状の貫通孔を有する芯材を用いた真空断熱材の一例の平面図。
【図１３】中央部に長方形の貫通孔を有する芯材を用いた真空断熱材の一例の平面図。
【図１４】中央部に長方形の貫通孔を有する芯材を用いた真空断熱材の別例の平面図。
【図１５】平面略Ｌ字状の芯材を用いた真空断熱材の一例の平面図。
【図１６】図16は複雑な形状の芯材を用いた真空断熱材の製造工程の一例を示す平面図で、図16(a)は周縁をヒートシールした真空断熱材、図16(b)は真空断熱材の全体を常圧下で加熱した真空断熱材、図16(c)は熱溶着されたガスバリア性フィルムを芯材に沿ってカットした真空断熱材を示している。
【符号の説明】
【００５２】
１，７，９，11，13，15，17，19，21，23    真空断熱材
３    ガスバリア性フィルム
４    折り曲げ線
２，８，10，12，14，16，18，20，22    芯材
５    乾燥器
６    熱風送風器
Ｆ    外装袋体
ｈ    ヒートシールされている部分
Ｈ    熱溶着された部分
Ｍ    未溶着部分
Ｑ    折れ曲がり部
Ｒ    折れ重なり部
Ｓ    角隅部
Ｔ    尖鋭部
Ｋ    切り込み線
【手続補正書】
【提出日】平成18年8月18日(2006.8.18)
【手続補正１】
【補正対象書類名】特許請求の範囲
【補正対象項目名】全文
【補正方法】変更
【補正の内容】
【特許請求の範囲】
【請求項１】
熱溶着層を有するガスバリア性フィルムよりなる袋体に芯材を収納し、内部を減圧状態で密封した真空断熱材を、その全体又は未溶着部分を常圧下において前記熱溶着層の融点より５〜35℃程度高い温度で無圧加熱して前記袋体の未溶着部を熱溶着することを特徴とする真空断熱材の製造方法。
【請求項２】
加熱する未溶着部分は、袋体の内部減圧により芯材の角部周辺に生じるガスバリア性フィルムの折れ曲がり部，折れ重なり部，角隅部の少なくともいずれか一つが含まれた未溶着部である請求項１の製造方法。
【請求項３】
加熱する未溶着部分には、真空断熱材の周辺の余剰ガスバリア性フィルムを芯材側へ折り込む際に芯材周辺に生じる折り曲げ部や該折り曲げ部における尖鋭部を含む請求項２の製造方法。
【請求項４】
熱溶着層は、高密度ポリエチレン（HDPE）、低密度ポリエチレン（LDPE）、リニア低密度ポリエチレン（LLDPE）、未延伸ポリプロピレン（CPP）、延伸ポリプロピレン（OPP）、ポリ塩化ビニリデン（PVDC）、ポリ塩化ビニル（PVC）、エチレン−酢酸ビニル共重合体（EVA）、エチレン−ビニルアルコール共重合体（EVOH）のいずれかのプラスチックフィルムである請求項１〜３のいずれかの製造方法。
【請求項５】
熱溶着層の厚みは、5〜50μｍである請求項１〜４のいずれかの製造方法。
【請求項６】
芯材は、貫通孔及び／又は切欠きを有する請求項１〜５のいずれかの製造方法。
【請求項７】
芯材は、連続気泡硬質プラスチック発泡体、又は、無機物、若しくは、連続気泡硬質プラスチック発泡体と無機物の積層体である請求項１〜６のいずれかの製造方法。
【請求項８】
貫通孔又は切欠きに囲まれた部分のガスバリア性フィルム同士の溶着部に切り込み線、又は、前記貫通孔又は切欠きの内周縁に沿った穴又は切欠きを設ける請求項６又は７の製造方法。
【請求項９】
切り込み線は、貫通孔の中心部から周縁部の外周端にかけて設ける請求項８の製造方法。
【請求項１０】
真空断熱材の芯材を構成する無機物は、ガラス繊維に有機バインダーを0.5〜1.5wt％塗布して積層、加熱圧縮成形したガラス繊維マットである請求項１〜９のいずれかの製造方法。
【請求項１１】
芯材にはガス吸着剤を埋没させて設けた請求項１〜10のいずれかの製造方法。
【請求項１２】
真空断熱材の芯材を構成する無機物は、ガラス繊維の積層体に結合剤を塗布せずにニードルパンチにより圧縮成形したガラス繊維マットである請求項１〜９のいずれかの製造方法。
【請求項１３】
真空断熱材の芯材を構成する無機物は、ガラス繊維を水を用いて集綿し、加熱圧縮成形したガラス繊維マットである請求項１〜９の製造方法。
【請求項１４】
熱溶着層を有するガスバリア性フィルムよりなる袋体に芯材を収納し、内部を減圧状態で密封した真空断熱材であって、前記密封後に、前記袋体の未溶着部を、前記熱溶着層の融点より５〜35℃程度高い温度で常圧下の無圧加熱によって熱溶着したことを特徴とする真空断熱材。
【手続補正２】
【補正対象書類名】明細書
【補正対象項目名】全文
【補正方法】変更
【補正の内容】
【発明の詳細な説明】
【技術分野】
【０００１】
本発明は、周縁に形成されるガスバリア性フィルム同士の積層部分（周縁部）を折り込んで使用する真空断熱材の使用形態を考慮し、周縁部を折り込んだときにフィルムに微小な孔や亀裂が生じても外部からガスが浸入し、内部の真空度が低下して断熱性能が悪化したりすることがなく、また、パイプなどが通っている複雑な形状の箇所にも装着することができる真空断熱材の製造方法とその方法により製造した真空断熱材に関する。
【背景技術】
【０００２】
真空断熱材は、ガスバリア性に優れた複合プラスチックラミネートフィルムからなる袋体に、芯材として連続気泡硬質プラスチック発泡体や無機物などを収納し、内部を減圧した後、周縁のガスバリア性フィルム同士の積層部分をヒートシールして製造される。一般に真空断熱材は、外装袋体を通して空気や水分が透過し、或いは内部において二酸化炭素や有機ガスが発生するため、時間の経過とともに真空度は少しずつ低下し、それに応じて熱伝導率が大きくなり高度な断熱性を維持することができないという問題がある。
【０００３】
また、真空断熱材は、その周縁にガスバリア性フィルム同士の積層部分があるため、使用時に隙間なく装着するためには周縁部を折り曲げたりする必要がある。例えば、特許文献１には、真空断熱材を箱体の側壁内部に装着すると周縁の積層部分が邪魔になり、端部において隙間が生じてしまうため、この積層部分を容易に折り曲げることができるようにして端部に隙間が生じないようにし、この問題の解決を図っている。
【０００４】
しかしながら、真空断熱材周縁の積層部分は、ガスバリア性フィルム同士が密着しているが、図１に示したように、真空断熱材１の周縁部1aにおけるヒートシールされている部分ｈ以外の芯材２に近い側は熱溶着されない未溶着部分Ｍとなっている。この周縁部1aを図２に示したように折り込んだとき、未溶着部分Ｍが折り曲げ部の線（以下、折り曲げ線４という）上に位置している場合が多い。そのため、折り込んだときに折り曲げ線４上のフィルムに微小な孔や亀裂が生じたりすると、そこからガスが徐々に浸入し、内部の真空度が低下して断熱性能が悪化し易いという問題があった。更に、図２に示した状態から他の周縁部1aを図３に矢印で示したように折り込むと真空断熱材１の角隅部において周縁部1aと1a'の２度折り込まれる部分に尖鋭な先端（以下、尖鋭部という）が形成されるため、その尖鋭部Ｔに他の部材が衝突したりすると、亀裂などが生じて上記と同様に断熱性能が悪化し易いという問題があった。
【０００５】
上記の問題を解決するために、長方形の板状の芯材を用いて従来の方法により製造した真空断熱材における未溶着部分を調べたところ、未溶着部分Ｍは、芯材２の四辺に沿った芯材２に近い側にあるほか、芯材２の角部周辺におけるガスバリア性フィルム3a，3bの積層部分の複雑な形状部分と相俟ってあることがわかった。詳細には、図４に示したように真空断熱材１の製造時に袋体Ｆの内部減圧により芯材２の角部周辺に生じるガスバリア性フィルム3a，3bの積層部分の折れ曲がり部Ｑ，折れ重なり部Ｒ、図５に示したような角隅部Ｓに未溶着部分Ｍがあることがわかった。これは芯材２より大きめの２枚のガスバリア性フィルム3a，3bを芯材２を挟んで重ね合わせ、周縁のガスバリア性フィルム3a，3b同士を積層するとき、芯材２の角部周辺ではフィルム3a，3bに余剰部分が出てしまい、減圧したときその余剰部分が上記のような複雑な断面形状の積層形態となって現れるからであると推測される。なお、この複雑な断面形状の積層形態は、収納する芯材２の厚みとも関連し、特に芯材２が厚い場合はその角部周辺に大き目の折れ曲がり部Ｑ，折れ重なり部Ｒ，角隅部Ｓが生じ易く、その結果、芯材２が厚い場合は角部周辺に多くの未溶着部分Ｍがあるものと推測される。
【０００６】
また、従来の真空断熱材１では、芯材２の表裏面とガスバリア性フィルム3a，3b内面の熱溶着層とは減圧により密着しているが、溶着まではされていないため、上記のような原因でガスの浸入が起きると芯材２の表裏面とガスバリア性フィルム3a，3bとの間にガスが入り込んで内部の真空度が低下するという問題もあった。
【０００７】
更に、別の問題として、従来の真空断熱材には、平面矩形状のものが多いため、例えば，電源線や通信線などを通すためのパイプや鉄骨等が貫いている壁面に装着する場合、パイプ等を避けてその周囲に小型の真空断熱材を多数枚装着するなどして対応していたが、パイプ等の周辺からの熱伝導が大きくなってしまい、また、小型の真空断熱材を多数枚製造するためのコストが掛かりすぎるという問題があった。
【０００８】
上記のような問題を解決するため、特許文献２では、熱溶着層を有するガスバリア性の外被材と、板状の芯材とを有し、熱溶着層同士が対向する外被材の間に前記芯材が減圧密封されて成り、外被材の間に芯材がある部分を含めて加熱加圧することにより、対向する熱溶着層同士が芯材形状に沿うように熱溶着された真空断熱材の発明が提案されている。
【０００９】
また、特許文献３には、適用する対象物の形状に制限が少なく、用途の広い真空断熱材として、熱溶着層を有するガスバリア性の外被材と、板状の芯材とを有し、前記熱溶着層同士が対向する前記外被材の間に前記芯材が減圧密封され、前記芯材の周囲に前記芯材を間に含まず密着した前記外被材のみから構成される周縁部が形成された真空断熱材であって、前記外装材の間に前記芯材がある部分の前記熱溶着層が溶融して、前記芯材の表面部分と結着しており、周縁部における対向する前記熱溶着層同士が芯材形状に沿うように熱溶着されている真空断熱材の発明が提案されている。
【００１０】
更に、特許文献４には、配線、配管、機器等を通せる貫通孔および／またはドアヒンジ固定用部材等を設けることのできる切欠き部を有する真空断熱パネルとして、断熱芯材がガスバリアー性包装材よりなる袋の中に真空排気された状態で封入されてなる真空断熱パネルにおいて、該真空断熱パネルが貫通孔部および／または切欠き部を有し、かつ該貫通孔部および／または切欠き部の内周部に沿ってガスバリアー性包装材同士を融着したシール部が形成されてなる真空断熱パネルで、シール部の内側に、切り抜きまたはスリットが形成されてなる真空断熱パネルの発明が提案されている。
【００１１】
上記特許文献２，３において提案されている発明の真空断熱材は、真空断熱材を製造するときの熱溶着において、弾性体で構成された熱板を使用し、外被材の間の芯材の有無を熱板の変形によって吸収することにより、対向する熱溶着層同士を芯材形状に沿うように熱溶着している。しかしながら、このような加熱加圧方法では、弾性体で構成された熱板の変形は、芯材の厚みを考慮すると限度があるため、芯材の四辺に沿ったガスバリア性フィルム（外装材）の積層部分における芯材に近い側に未溶着部分が残り易いという問題があった。また、真空断熱材の大きさに見合う弾性体で構成された熱板を別途用意する必要があるため、製造コストが掛かりすぎるという問題もあった。更に、特許文献２，３において提案されている真空断熱材では、芯材の角部周辺に余剰のガスバリア性フィルムにより生じる当該フィルムの折れ曲がり部，折れ重なり部，角隅部については全く考慮されておらず、これらの部位にある未溶着部分の溶着が十分なされるとはいい難い。特に、弾性体で構成された熱板では、芯材の角部周辺に対し、十分な加熱加圧がなされ難いといった問題があった。
【００１２】
また、上記特許文献４において提案されている発明の真空断熱パネルについても、貫通孔部や切欠き部の内周部に沿ってガスバリアー性包装材同士を融着したシール部が形成されているが、ガスバリアー性包装材同士の融着には、熱板が使用されているものと推測される。従って、貫通孔部や切欠き部の内周部に沿ってシールされるとしても、これら貫通孔部や切欠き部に近い側が十分熱溶着されているとはいい難い。また、この特許文献４において提案されている発明においても、芯材の角部周辺に余剰のガスバリア性フィルムにより生じる当該フィルムの折れ曲がり部，折れ重なり部，角隅部については全く考慮されておらず、これらの部位にある未溶着部分の溶着が十分なされているとはいい難い。
【特許文献１】特開２００１−２９５９８４号公報
【特許文献２】特許第３５５９０３５号公報
【特許文献３】特開２００４−１９７９５４号公報
【特許文献４】特開平８−３０３６８６号公報
【発明の開示】
【発明が解決しようとする課題】
【００１３】
本発明は、真空断熱材の周縁部を芯材側に向け折り込んで使用するときに、従来の真空断熱材には上記のような問題点があることに鑑み、芯材の四辺に沿った芯材に近い側にある周縁部の未溶着部分のほか、芯材の角部周辺に生じるガスバリア性フィルムの折れ曲がり部，折れ重なり部，角隅部を含む未溶着部分を溶着させることにより、折り込んだときフィルムに小さな孔が開き、また角隅部先端に亀裂が生じてもガスの浸入を防止することができ、内部の真空度の低下が起こらない新たな真空断熱材の製造方法とその方法により製造した真空断熱材を提供することを、その課題とするものである。
【課題を解決するための手段】
【００１４】
上記課題を解決することを目的としてなされた本発明真空断熱材の製造方法の構成は、熱溶着層を有するガスバリア性フィルムよりなる袋体に芯材を収納し、内部を減圧状態で密封した真空断熱材を、その全体又は未溶着部分を常圧下において前記熱溶着層の融点より５〜35℃程度高い温度で無圧加熱して前記袋体の未溶着部を熱溶着することを特徴とするものであり、また、その方法により製造した本願真空断熱材の構成は、熱溶着層を有するガスバリア性フィルムよりなる袋体に芯材を収納し、内部を減圧状態で密封した真空断熱材であって、前記密封後に、前記袋体の未溶着部を、前記熱溶着層の融点より５〜35℃程度高い温度で常圧下の無圧加熱によって熱溶着したことを特徴とするものである。
【００１５】
本発明は、上記製造方法の構成において、加熱する未溶着部分は、袋体の内部減圧により芯材の角部周辺に生じるガスバリア性フィルムの折れ曲がり部，折れ重なり部，角隅部の少なくともいずれか一つが含まれた未溶着部であり、加熱する未溶着部分には、真空断熱材の周辺の余剰ガスバリア性フィルムを芯材側へ折り込む際に芯材周辺に生じる折り曲げ部や該折り曲げ部における尖鋭部を含んでいる。
【００１６】
上記の熱溶着層には、高密度ポリエチレン（HDPE）、低密度ポリエチレン（LDPE）、リニア低密度ポリエチレン（LLDPE）、未延伸ポリプロピレン（CPP）、延伸ポリプロピレン（OPP）、ポリ塩化ビニリデン（PVDC）、ポリ塩化ビニル（PVC）、エチレン-酢酸ビニル共重合体（EVA）、エチレン-ビニルアルコール共重合体（EVOH）のいずれかのプラスチックフィルムを使用することができる。この熱溶着層の厚みは、5〜50μｍであるのが好ましい。
【００１７】
次に、本発明は、上記構成において、芯材に、貫通孔及び／又は切欠きを有するものを使用することができる。芯材としては、連続気泡硬質プラスチック発泡体、又は、無機物、若しくは、連続気泡硬質プラスチック発泡体と無機物の積層体を使用することができる。
【００１８】
また、貫通孔又は切欠きに囲まれた部分のガスバリア性フィルム同士の溶着部に切り込み線、又は、前記貫通孔又は切欠きの内周縁に沿った穴又は切欠きを設ける構成にすることもできる。更に、切り込み線は、貫通孔の中心部から周縁部の外周端にかけて設ける構成にしてもよい。
【００１９】
上記の芯材を構成する無機物には、ガラス繊維に有機バインダーを0.5〜1.5wt％塗布して積層、加熱圧縮成形したガラス繊維マットを使用するのが望ましい。なお、芯材にガス吸着剤を埋没させて設けた構成にすることができる。
【００２０】
また、上記の芯材を構成する無機物には、ガラス繊維の積層体に有機バインダー等の結合剤を塗布せずにニードルパンチにより圧縮成形したガラス繊維マットを使用することができ、更に、ガラス繊維を水を用いて集綿し、加熱圧縮成形したガラス繊維マットを使用することもできる。
【発明の効果】
【００２１】
本発明は、従来方法で製造した真空断熱材の全体又は未溶着部分を熱板などを用いずに常圧下で更に加熱することにより、芯材の四辺に沿った部分にある未溶着部分ほか、袋体の内部減圧により芯材の角部周辺に生じた余剰のガスバリア性フィルムによるフィルムの折れ曲がり部，折れ重なり部，角隅部などにおける未溶着部分を十分溶着させることができるので、特に真空断熱材の周縁部分を芯材側に向け折り込んで使用するときに、折曲線上や角隅部にできる尖鋭部Ｔに小さな孔や亀裂が生じても、外部からガスが浸入することがなく、内部の真空度が低下することがないという効果が得られる。また、未溶着部分のみを常圧下で部分加熱した場合は、芯材からのガスの発生を抑えることができるのでより効果的である。
【００２２】
更に、本発明による真空断熱材は、芯材に貫通孔や切欠き、又は、これらの両方を有するものを使用することができるので、パイプ等が貫通している壁面や複雑な形状の装着部分に対しても容易に装着することができ、断熱性能を向上させることができる。更には、貫通孔や切欠きに囲まれたガスバリア性フィルム同士の溶着部分に切り込み線や穴を設けておくことができ、特に、貫通孔の中心部から真空断熱材の周縁部の外周端にかけて切り込み線を設けた場合は、パイプ等を取り付けた後からでも真空断熱材を装着することができるという効果が得られる。
【発明を実施するための最良の形態】
【００２３】
次に、本発明の実施の形態例を図に拠り説明する。図１は本発明に用いる従来方法により製造した真空断熱材の平面図、図２は図１に示した真空断熱材の周縁部を芯材側に折り込んだ状態を示す部分拡大側面図、図３は図２に示した真空断熱材の他の周縁部を芯材側に折り込む前の状態を示す部分拡大斜視図、図４は図１に示した真空断熱材の芯材角部周辺を平面側から見た斜視図、図５は図４に示した芯材角部周辺の上面側の部分切開斜視図、図６は全体加熱による本発明真空断熱材の製造方法の一例を示す斜視図、図７は本発明真空断熱材の製造工程の一例を示す平面図、図８は本発明真空断熱材の製造工程の別例を示す平面図、図９は中央部に円形の貫通孔を有する芯材を用いた真空断熱材の一例の平面図、図10は中央部に円形の貫通孔を有する芯材を用いた真空断熱材の別例の平面図、図11は側辺部に切欠きを有する芯材を用いた真空断熱材の一例の平面図、図12は鍵穴状の貫通孔を有する芯材を用いた真空断熱材の一例の平面図、図13は中央部に長方形の貫通孔を有する芯材を用いた真空断熱材の一例の平面図、図14は中央部に長方形の貫通孔を有する芯材を用いた真空断熱材の別例の平面図、図15は平面略Ｌ字状の芯材を用いた真空断熱材の一例の平面図、図16は複雑な形状の芯材を用いた真空断熱材の製造工程の一例を示す平面図で、図16(a)は周縁をヒートシールした真空断熱材、図16(b)は真空断熱材の全体を常圧下で加熱した真空断熱材、図16(c)は熱溶着されたガスバリア性フィルムを芯材に沿ってカットした真空断熱材を示している。
【００２４】
図１から図４は、上述したように本発明に用いる一例の真空断熱材１を示している。この真空断熱材１は、従来の方法で製造したもので、熱溶着層を有するガスバリア性フィルム３よりなる外装袋体Ｆに芯材２を収納し、内部を減圧状態にして開口部を密封してなるものである。製造方法としては、芯材２をこれより大き目の２枚のガスバリア性フィルム3a，3bで挟み込み、減圧状態にして周縁のガスバリア性フィルム3a，3b同士の積層部分をヒートシールして製造したものであってもよい。なお、1aは、真空断熱材１の周縁部で、外装袋体Ｆにおける芯材２を挟み込んでいないガスバリア性フィルム3a，3b同士の積層した部分である。この周縁部1aの幅は、芯材２の厚みとも関連するが、一般に10〜50ｍｍ程度、好ましくは10〜30ｍｍ程度が望ましい。
【００２５】
上記従来の方法で製造した真空断熱材１は、図１により説明したように、周縁部1aのヒートシールされている部分ｈと芯材２との間は、減圧によりガスバリア性フィルム3a，3b同士は密着しているものの熱溶着されていない。そのため、図２，図３により説明したように周縁部1aをそのまま芯材２側に折り込んだときに問題が生じる。また、図４に示したように、真空断熱材１の製造時に芯材２の角部周辺に生じるガスバリア性フィルム3a，3bの積層部分の折れ曲がり部Ｑ，折れ重なり部Ｒ、図５に示したような角隅部Ｓに未溶着部分Ｍがある。
【００２６】
本発明は、上記の従来の方法で製造した真空断熱材１をベースにその全体又は未溶着部分を常圧下で加熱して外装袋体Ｆの外周辺、即ち、真空断熱材１の周縁部1aにある未溶着部を熱溶着することにより製造される。全体の加熱は、ここでは真空断熱材１を図６に示したような乾燥器５に入れて行っている。全体加熱により図７に示したように芯材２の四辺に沿った芯材２に近い側は勿論、芯材２の角部周辺における折れ曲がり部Ｑや折れ重なり部Ｒ、角隅部Ｓにある未溶着部分Ｍをすべてを溶着Ｈさせることができる。また、全体加熱により芯材２の表面とガスバリア性フィルム3aの熱溶着層、裏面とガスバリア性フィルム3bの熱溶着層をそれぞれ溶着させることができる。
【００２７】
次に、未溶着部分Ｍの常圧下での部分加熱は、主に芯材２の角部周辺の折れ曲がり部Ｑや折れ重なり部Ｒ、角隅部Ｓに対し、図８に示したように熱風送風器６により熱風を送ることにより、これらにある未溶着部分Ｍを溶着させる。なお、当然、芯材２の四辺に沿った芯材２に近い側にある未溶着部分Ｍを溶着させることもできる。この部分加熱は、全体加熱と比較し、加熱により芯材２から出るガスの発生を最小限にすることができるので、真空断熱材１の内部を高真空に維持することができる。
【００２８】
ガスバリア性フィルム３の詳細な構成、熱溶着層の部材などについては後に説明するが、例えば、熱溶着層のプラスチックフィルムが高密度ポリエチレン（HDPE）、リニア低密度ポリエチレン（LLDPE），未延伸ポリプロピレン（CPP）の場合、HDPEの密度は0.93〜0.95，融点は120〜130℃、LLDPEの密度は0.91〜0.93，融点は100〜110℃、CPP の密度は0.90前後，融点は130〜170℃であるので、これらHDPE，LLDPE，CPPの熱溶着層の融点より５〜35℃程度高い温度で加熱する。因みに、熱溶着層のプラスチックフィルムがHDPEの場合の接着（溶着）強度を加熱温度を変えて測定したところ下記の表１の通りであった。なお、測定には、測定器としてオートグラフ・AGS-H・1kN(島津製作所)を使用し、クロスヘッドスピードを300mm/minの条件で、熱溶着層の厚み50μｍのものについて行った。
【００２９】
【表１】
2006329419.tif 000023
【００３０】
上記の真空断熱材１では、芯材２に平面長方形の板状のものを使用してるが、後述するように貫通孔や切欠きを有する芯材を使用することができる。また、芯材２の外形も長方形に限られず、平面形状が正方形や台形，六角形，円形，楕円形等の芯材を使用することができる。
【００３１】
次に、外装袋体Ｆを形成するガスバリア性フィルム３の構成について説明すると、ガスバリア性フィルム３は複合プラスチックラミネートフィルムにより形成されており、熱融着層と金属箔と他のプラスチックフィルムを積層した構成のものである。金属箔としては、アルミニウム箔やスチール箔，ステンレス箔，銅箔等を使用することができる。また、金属箔の代わりに金属や無機物の蒸着フィルムを使用しプラスチックフィルムと積層したフィルムを使用することもできる。
【００３２】
複合プラスチックラミネートフィルムの一例として、ポリエチレンテレフタレートフィルム／ナイロンフィルム／アルミ箔／ポリエチレンフィルムの４層構造のラミネートフィルムが挙げられるが、これ以外に、ポリエチレンテレフタレートフィルム／アルミ箔／高密度ポリエチレンフィルムの３層構造のラミネートフィルムもあり、これらのフィルムを袋体Ｆに形成するときは、ポリエチレンフィルムが袋体Ｆの内側になるように構成される。上記のラミネートフィルムのアルミ箔をアルミ蒸着フィルムに代えたものも勿論、使用することができる。なお、熱溶着層のポリエチレン（PE）フィルムには、上述したHDPE，LLDPEのほか、低密度ポリエチレン（LDPE）のいずれかのフィルムを選択して使用することができ、更に、PE以外に、上述したCPPのほか、延伸ポリプロピレン（OPP），ポリ塩化ビニリデン（PVDC），ポリ塩化ビニル（PVC），エチレン-酢酸ビニル共重合体（EVA），エチレン-ビニルアルコール共重合体（EVOH）のいずれかのプラスチックフィルムを使用することもできる。熱溶着層の厚みは、本発明では5〜50μｍであるのが好ましい。
【００３３】
次に、芯材２の構成について説明すると、芯材２には、連続気泡硬質プラスチック発泡体、又は、無機物、若しくは、連続気泡硬質プラスチック発泡体と無機物の積層体などを使用することができる。無機物には、ガラス繊維に有機バインダーを0.5〜1.5wt％塗布して積層、加熱圧縮成形したガラス繊維マットを使用することができる。なお、連続気泡硬質プラスチック発泡体には、従来の真空断熱材で使用されているものを使用することができる。また、図示しないが、芯材２にはガス吸着剤を埋没させて経時的に芯材２から発生するアウトガスまたは、ヒートシール部等から浸入するガスを吸収する構成にしてもよい。
【００３４】
また、真空断熱材１の芯材２を構成する無機物には、ガラス繊維の積層体に有機バインダー等の結合剤を塗布せずにニードルパンチにより圧縮成形したガラス繊維マットを使用することができる。更に、ガラス繊維を水を用いて集綿し、加熱圧縮成形したガラス繊維マットを使用することもできる。
【００３５】
次に、芯材には、貫通孔や切欠きを有するもの、或は、貫通孔と切欠きの両方を有するものを使用することができる。これらは壁面に配線用などに使用されるパイプ等が通っている場合があり、そのような壁面に対しても装着することができる真空断熱材にするためである。また、切欠きは、例えば支柱などの構造部材の一部が壁面に食い込むように入り込んでいる場合に対応するためである。
【００３６】
図９は、真空断熱材７の中心部に円形の穴7bが形成されているものの一例で、８はこれに見合う貫通孔を有する芯材である。なお、7aは真空断熱材７の熱溶着された周縁部、7cは円形の穴7bを囲むガスバリア性フィルム3a，3b同士の溶着した積層部分である。
【００３７】
図10は、真空断熱材９の中心部にガスバリア性フィルム3a，3b同士が溶着し凹んだ積層部分9cが形成されている構成の一例である。この真空断熱材９の芯材10は、図７に示したものと同様、中心部に貫通孔を有している。上記の凹んだ積層部分9cの中心部に十字形に切り込み線Ｋが設けられている。この切り込み線Ｋは、装着する壁面に通っているパイプの外径に対応してその切込み幅を調整する。なお、9aは真空断熱材９の熱溶着された周縁部である。
【００３８】
図11は、真空断熱材11の側辺に円弧状の切欠き11ｂが形成されているものの一例で、12はこれに見合う形状の切欠きを有する芯材である。11cは、切欠き11ｂの周縁のガスバリア性フィルム3a，3b同士が溶着した部分である。
【００３９】
図12は、真空断熱材13の中心部にガスバリア性フィルム3a，3b同士が溶着し鍵穴状に凹んだ積層部分13cが形成されている構成の一例で、この真空断熱材13の芯材14は、鍵穴状の貫通孔を有している。上記の凹んだ積層部分13cには貫通孔の中心部に十字状の切り込み線Ｋとこの切り込み線Ｋから周縁部13aの外周端にかけて延びた切り込み線Ｋが設けられている。この真空断熱材13は、既にパイプ等が配管されている壁面に対し、外周端から切り込み線Ｋを貫通孔の中心部まで切り、その切り開いたところにパイプ等を入れパイプ等を挟み込むようにして壁面に装着することができる。
【００４０】
図13は、真空断熱材15の中心部にガスバリア性フィルム3a，3b同士が溶着し長方形に凹んだ積層部分15cが形成されている構成の一例である。この真空断熱材15の芯材16は、長方形の貫通孔を有している。上記の凹んだ積層部分15cには切り込み線Ｋが設けられていて、装着する壁面に通っているパイプの数や外径に対応してその切り込み線Ｋにおける切込み位置や大きさを調整することができる。なお、15aは真空断熱材15の熱溶着された周縁部である。
【００４１】
図14は、真空断熱材17の中心部に３個の貫通穴17ｂが、ガスバリア性フィルム3a，3b同士が溶着し長方形に凹んだ積層部分17cに形成されている構成の一例である。この真空断熱材17の芯材18は、図11のものと同様に長方形の貫通孔を有している。なお、17aは真空断熱材17の熱溶着された周縁部である。
【００４２】
図15は、平面略Ｌ字状で、内側角部に溝状の切欠き19bが形成されている真空断熱材19の一例である。真空断熱材19の芯材20は、平面略Ｌ字状で内側角部に略円形乃至円弧状の切欠き20aを有している。この真空断熱材19は、芯材20を３方が熱溶着されたガスバリア性フィルム3a，3bで構成された袋体に入れ、内部を真空引きしながら密封して形成した真空断熱材を、更にその全体を常圧下で加熱して上下のガスバリア性フィルム3a，3b同士の未溶着部分を熱溶着して製造される。溝状の切欠き19bは、この全体加熱により熱溶着された芯材20の切欠き20aに囲まれたガスバリア性フィルム3a，3b同士の積層部分の一部を切り込んで形成されている。このようにしたのは、平面略Ｌ字状の真空断熱材の場合、内側角部に溝状の切欠き19bがないと、周縁部を折り込むとき、内側角部のところが畳めないため、折り込めないからである。なお、19aは真空断熱材19の熱溶着された周縁部である。
【００４３】
次に、図16により複雑な形状の芯材を用いた真空断熱材21の製造工程の一例を説明する。図16(a)は、丸みを帯びた形状の芯材22を３方が熱溶着されたガスバリア性フィルム3a，3bで構成された袋体Ｆに入れ、内部を真空引きしながら密封して形成した真空断熱材21を示している。通常、ヒートシールされている部分ｈは直線であるため、芯材22の形状に沿って形成することが困難で、芯材が単純な四角形の場合のように、周縁部に残るガスバリア性フィルム３を芯材上部に折り畳むことができない。図16(b)は、図16(a)の真空断熱材21の全体を更に常圧下で加熱して上下のガスバリア性フィルム3a，3b同士の未溶着部分を熱溶着Ｈした状態のものを示している。図16(c)は、図16(b)の真空断熱材21を芯材22の周縁部に上下ガスバリア性フィルムが熱溶着Ｈされた部分を一定の幅で残して、その他の部分をカットして製造した真空断熱材23を示している。
【００４４】
図９から図16に例示したもの以外に、芯材の貫通孔又は切欠きは、平面形状が、三角形，四角形，六角形，八角形などの多角形、又は、星形、若しくは、異形の円形，異形の多角形などであってもよく、また、貫通孔と切欠きの両方を有する芯材を使用してもよい。
【実施例】
【００４５】
次に、12×300×400ｍｍの大きさで、有機バインダー1.2wt％塗布して積層，加熱圧縮成形したガラス繊維マットからなる芯材で貫通孔を有するものと有しないものを用意し、それぞれアルミ箔複合プラスチックラミネートフィルムを用いて製造した370×500ｍｍの大きさの外装袋体にガス吸着剤を入れないで収納した後、内部を真空引きして開口部をヒートシールして製造した真空断熱材を図６に示した乾燥器内に入れ、その全体を130℃の雰囲気下で５分間放置し、周縁部、貫通孔周辺における未溶着部分、及び、フィルムと芯材の表裏面における密着部を熱溶着させて本発明の真空断熱材をそれぞれ製造した。なお、貫通孔の直径は10ｍｍにした。
【００４６】
〔性能試験〕
上記の芯材に貫通孔を有するものと有しないものを、加速温度70℃×dry、70℃×95％RHの条件で、熱伝導率を製造直後から最長152日に亘り測定する性能試験を、全体加熱を行わなかったものと比較して行った。熱伝導率の測定には、熱伝測定機HC-074-300（英弘精機製）を使用した。結果は下記の表２の通りである。
【００４７】
【表２】
2006329419.tif 000024
【００４８】
〔評価〕
表２から明らかなように、未溶着部分の熱溶着を行わなかったものと比較し、全体加熱により未溶着部分の熱溶着を行った本発明の真空断熱材の熱伝導率は、貫通穴を有するものも有しないものも、ともに熱伝導率の低下は少なかった。この傾向は、条件が70℃×dryの場合も、70℃×95％RHの場合も同様であった。なお、貫通穴を有しないものの方が、有するものと比較し、熱伝導率の低下は少なかった。
【産業上の利用可能性】
【００４９】
本発明は、真空断熱材の周縁部を芯材側に向け折り込んで使用するときに生じる問題点、即ち、従来の真空断熱材では、ガスバリア性フィルム同士の未溶着部分が芯材の四辺に沿った所や角隅部周辺にある状態でそれらの未溶着部分を一緒に折り込んで使用していたため、フィルムに小さな孔が開き、また角隅部先端に亀裂が生じてガスが浸入し内部の真空度が低下し易いといった問題を、未溶着部分を予め溶着させることにより、周縁部を折り込んだときこのような問題が起こらないようにしたので、長期間の使用に耐え得る優れた真空断熱材といえる。また、本発明は、従来の方法で製造した真空断熱材にそのまま適用することができるので、あまりコストを掛けずに断熱性能が優れた真空断熱材を製造することができる。
【図面の簡単な説明】
【００５０】
【図１】本発明に用いる従来方法により製造した真空断熱材の平面図。
【図２】図１に示した真空断熱材の周縁部を芯材側に折り込んだ状態を示す部分拡大側面図。
【図３】図２に示した真空断熱材の他の周縁部を芯材側に折り込む前の状態を示す部分拡大斜視図。
【図４】図１に示した真空断熱材の芯材角部周辺を平面側から見た斜視図。
【図５】図４に示した芯材角部周辺の上面側の部分切開斜視図。
【図６】全体加熱による本発明真空断熱材の製造方法の一例を示す斜視図。
【図７】本発明真空断熱材の製造工程の一例を示す平面図。
【図８】本発明真空断熱材の製造工程の別例を示す平面図。
【図９】中央部に円形の貫通孔を有する芯材を用いた真空断熱材の一例の平面図。
【図１０】中央部に円形の貫通孔を有する芯材を用いた真空断熱材の別例の平面図。
【図１１】側辺部に切欠きを有する芯材を用いた真空断熱材の一例の平面図。
【図１２】鍵穴状の貫通孔を有する芯材を用いた真空断熱材の一例の平面図。
【図１３】中央部に長方形の貫通孔を有する芯材を用いた真空断熱材の一例の平面図。
【図１４】中央部に長方形の貫通孔を有する芯材を用いた真空断熱材の別例の平面図。
【図１５】平面略Ｌ字状の芯材を用いた真空断熱材の一例の平面図。
【図１６】図16は複雑な形状の芯材を用いた真空断熱材の製造工程の一例を示す平面図で、図16(a)は周縁をヒートシールした真空断熱材、図16(b)は真空断熱材の全体を常圧下で加熱した真空断熱材、図16(c)は熱溶着されたガスバリア性フィルムを芯材に沿ってカットした真空断熱材を示している。
【符号の説明】
【００５１】
１，７，９，11，13，15，17，19，21，23    真空断熱材
３    ガスバリア性フィルム
４    折り曲げ線
２，８，10，12，14，16，18，20，22    芯材
５    乾燥器
６    熱風送風器
Ｆ    外装袋体
ｈ    ヒートシールされている部分
Ｈ    熱溶着された部分
Ｍ    未溶着部分
Ｑ    折れ曲がり部
Ｒ    折れ重なり部
Ｓ    角隅部
Ｔ    尖鋭部
Ｋ    切り込み線